(57)【要約】【課題】メチルメルカプタン等の臭気性ガスを含む排便ガスを回収するためのシステムであって、精度の高い診断が可能となる排便ガス回収システムを提供する。【解決手段】大便器のボウル内に排出される排便ガスを回収する排便ガス回収システム１において、吸引された気体を回収容器に供給する状態と、回収容器に供給しない状態とを切り替える制御弁と、制御弁を制御する制御装置とを備え、制御装置は、吸引された気体に排便ガスが含まれていると判定すると、制御弁を吸引された気体を回収容器に供給する状態に切り替え、これにより少なくとも大腸末端に溜まったガスを含む初期部分を回収容器に回収する回収制御を実施し、さらに、初期部分の回収後は、被験者の一回の排便行為中に排出される排便ガスの回収を禁止する回収禁止制御を実施する。【選択図】図１２
2017067752.tif 000002
【特許請求の範囲】
【請求項１】
大便器のボウル内に排出される排便ガスを回収する排便ガス回収システムであって、
前記ボウル内から気体を吸引するガス吸引装置と、
前記ガス吸引装置により吸引された気体が送り込まれる回収通路と、
前記回収通路に接続され、前記排便ガスを回収する回収容器と、
前記回収通路に設けられ、前記吸引装置により吸引された気体を前記回収容器に供給する状態と、前記回収容器に供給しない状態とを切り替える制御弁と、
前記吸引装置及び前記制御弁を制御する制御装置と、
前記排便ガスを検知するガスセンサと、を備え、
前記ガスセンサは前記吸引装置により吸引された気体に含まれる排便ガスを検知し、
前記制御装置は、前記ガスセンサの出力に基づき、前記吸引された気体に排便ガスが含まれていると判定すると、前記制御弁を前記吸引装置により吸引された気体を前記回収容器に供給する状態に切り替え、これにより前記回収容器に前記吸引された気体を回収する回収制御を実施し、
前記制御装置は、被験者の一回の排便行為中に排泄される排便ガスのうち、少なくとも大腸末端に溜まったガスを含む初期部分を回収するように排便ガス回収制御を実施し、
さらに、前記制御装置は、前記初期部分の回収後は、前記被験者の一回の排便行為中に排出される排便ガスの回収を禁止する回収禁止制御を実施する、
ことを特徴とする排便ガス回収システム。
【請求項２】
さらに、被験者が前記大便器に着座するのを検知する着座検知手段を有し、
前記制御装置は、前記着座検知手段により被験者が前記大便器に着座したのを検知した後に、前記被験者から排出された排便ガスを回収するように排便ガス回収制御を行う、
請求項１記載の排便ガス回収システム。
【請求項３】
前記排便ガス回収制御は、予め決定された所定時間にわたり実施される、
請求項２記載の排便ガス回収システム。
【請求項４】
さらに、被験者の大便器への近接を検知する被験者位置確認手段を有し、
前記制御装置は、前記被験者位置確認手段により被験者の大便器への近接が検知された後、かつ、前記着座検知手段により前記被験者が前記大便器に着座するのを検知する前の排便準備期間中に前記ガス吸引装置を駆動させ、前記吸引装置が有するファンの回転数が一定になるように制御する、
請求項３記載の排便ガス回収システム。
【請求項５】
さらに、前記ガスセンサを加熱するセンサ加温ヒータを有し、
前記制御装置は、前記排便準備期間中に前記ガスセンサの温度が一定になるように、前記センサ加温ヒータを制御する、
請求項４記載の排便ガス回収システム。
【請求項６】
前記制御装置は、前記ガスセンサにより前記吸引された気体に排便ガスが含まれることが検知されてから、予め決定された所定時間が経過した時点で、前記制御弁を気体を前記回収容器に供給する状態に切り替える、請求項４記載の排便ガス回収システム。
【請求項７】
前記所定時間は、前記排便ガスが前記回収容器まで到達する時点よりも早い時点であり、これにより、前記回収容器には前記排便ガスよりも前に前記ガス吸引装置により吸引された気体が所定量含まれる、請求項４記載の排便ガス回収システム。
【請求項８】
前記制御装置は、前記排便準備期間中の前記ガスセンサの出力に基づき基準値を設定し、前記ガスセンサの出力と前記基準値とを比較することにより前記排便ガス回収制御を実施する、
請求項６記載の排便ガス回収システム。
【請求項９】
前記制御装置は、前記排便準備期間中に、前記ガスセンサによる出力に基づき、前記排便ガスを回収するのに適していない状況であると判断した場合に、前記排便ガス回収制御を行わない、請求項８記載の排便ガス回収システム。
【発明の詳細な説明】
【技術分野】
【０００１】
本発明は、排便ガス回収システムに関し、特に、大便器のボウル内に排出される排便ガスを回収する排便ガス回収システムに関する。
【背景技術】
【０００２】
大腸癌の治療及び予防のためには、日々、腸内環境を観察することが重要である。現在、大腸癌の健診は内視鏡により腸内を観察する方法や大便を分析する方法により行われる。しかしながら、内視鏡を用いた方法では、内視鏡を肛門から大腸内に挿入しなければならない。このため、内視鏡を用いた方法は患者に対する負担が非常に大きい。また、大便を分析する方法では、排便を毎回採取する必要があり、患者にとって心理的に負担が大きい。
【０００３】
このような状況に鑑みて発明者らは、患者に心理的にも肉体的にも負担の少ない癌等の大病の診断ができ、大病の治療及び予防を実現できるような装置を製造したいという強い思いを持ち、長期に渡り研究を進めていた。
【０００４】
ここで、これまで出願人は、洋式大便器の便座に搭載され、被験者の排便時にボウル内に排出される排便ガスを採取し、この排便ガス中に含まれる二酸化炭素濃度に基づいて、生体情報指標としての排泄大便量を求める装置（特許文献１参照）を開発してきた。特許文献１に記載された装置によれば、簡易に腸内状態を推定することができる。しかしながら、これら装置では現在の腸内状態を推定するのみであり、癌等の大病の診断できるという、発明者の目的を達成できるものではなかった。
【０００５】
また、排便ガスに基づき被験者の体調を検出する装置として以下の装置が知られている。
特許文献２には、人の排泄部付近の空気に接触するようにガスセンサを配置し、このガスセンサ出力のピーク値に基づいておならを検出するおなら検出装置が開示されている。このおなら検出装置では、ベッドに寝ている患者のおむつや下着の中の排泄部からチューブを引き出し、吸引ポンプで空気を吸引することにより、患者のおならを捕集している。さらに、このおなら検出装置は、ガスセンサ出力のピークの半値幅に基づいておならと排尿を区別して、盲腸の手術後におならが出たかどうかを医師が確認したり、おむつの交換時期を検出するものに過ぎず発明者の目的を達成できるものではない。
【０００６】
また、特許文献３には、生体モニタ装置が開示されている。この生体モニタ装置では、布製のＴ字帯にガスセンサを装着して、ガスセンサが肛門付近に配置されるようにしておき、肛門から放出されたおならを検出する。ガスセンサからの信号は処理装置に伝達され、メモリに蓄積される。メモリに蓄積されたデータは過去データと比較され、差が大きい場合等、異常がある場合には表示装置に警告が表示されるものも知られている。
【０００７】
一方、特許文献４には、腸内ガス成分測定方法が開示されている。この腸内ガス成分測定方法では、トイレ便器の便座の部分に試料採取管を配置しておく。被測定者が装置のメインスイッチを投入すると、吸引ポンプが稼働して、肛門付近のガスが吸引される。指標ガス検知器は吸引されたガス中の炭酸ガス濃度を常時測定しており、測定された濃度が急激に増大すると、制御・演算処理部は腸内ガスの放散があったと認識する。腸内ガスが放散されると、別の吸引ポンプが作動を開始し、吸引されたガスの一部がサンプル計量管に取り込まれる。取り込まれたサンプルはカラムに送り込まれてガス成分が分離され、イオン化される。このイオン化量が電気信号に変換され、腸内ガス中の検出対象ガス成分の濃度が測定されるものも知れられている。
【０００８】
このような癌等の大病の診断ができる装置を開発するにあたり、近年、大腸癌の疾病と、おならや排便に含まれる腸内のガス成分とに相関があるということが知られてきている。具体的には、大腸癌患者は健常者に比べて、腸内のガス成分中の硫黄成分を含むメチルメルカプタンガスが多くなる。
【０００９】
特許文献５参照には、被験者が放屁した屁の成分からメチルメルカプタンガスを測定するセンサと、このセンサから得られるメチルメルカプタンガス濃度を演算する演算部と、表示部とを備え、大腸癌の罹患リスクを推定する携帯型大腸癌リスク測定機器が開示されている。しかしながら、後述するが屁に含まれるメチルメルカプタンガスは非常に微量であるため、特許文献５に記載された測定機器で正確な診断を行うことは難しい。また、メチルメルカプタンのみを検出するセンサは非常に大型であるため、特許文献５に記載された装置によりメチルメルカプタンを検出することは現実的ではない。
【先行技術文献】
【特許文献】
【００１０】
【特許文献１】特許第５１３１６４６号
【特許文献２】特開２００３−９０８１２号
【特許文献３】特開平９−４３１８２号
【特許文献４】特許第３５２５１５７号
【特許文献５】特開２０１４−１６００４９号公報
【発明の概要】
【発明が解決しようとする課題】
【００１１】
腸内のガス成分は、排便時に便とともにおならや排便ガスとして排出される。そこで、発明者らは、２０１５年１月５日の日本経済新聞にも掲載した通り排便時に排出されるおならや排便ガス中のメチルメルカプタンガスなどの特定のガスを測定すれば腸内の大腸癌の診断することができるのではないかと考え、研究を続けていた。
【００１２】
ここで、上述の通り、排便ガスに含まれるメチルメルカプタンガスは微量であり、さらに、癌になる前の段階となるとより微量となるため測定は非常に難しい。また、メチルメルカプタンのみを検知するセンサは非常に大型である。そこで、発明者らは、排便ガスを確実に回収することができるシステムを提供し、このシステムで回収した排便ガスを成分分析することにより、大腸癌の診断を行うことを考えた。
しかしながら、このような排便ガスを回収するシステムを用いた場合であっても、排便ガスに含まれるメチルメルカプタンガスは微量であるため、トイレ空間や被験者等の様々な要因により診断精度が低下するおそれがある。
【００１３】
本発明は、かかる状況に鑑みなされたものであり、メチルメルカプタン等の臭気性ガスを含む排便ガスを回収するためのシステムであって、精度の高い診断が可能となる排便ガス回収システムを提供することを目的としている。
【課題を解決するための手段】
【００１４】
本発明の大便器のボウル内に排出される排便ガスを回収する排便ガス回収システムであって、ボウル内から気体を吸引するガス吸引装置と、ガス吸引装置により吸引された気体が送り込まれる回収通路と、回収通路に接続され、排便ガスを回収する回収容器と、回収通路に設けられ、吸引装置により吸引された気体を回収容器に供給する状態と、回収容器に供給しない状態とを切り替える制御弁と、吸引装置及び制御弁を制御する制御装置と、排便ガスを検知するガスセンサと、を備え、ガスセンサは吸引装置により吸引された気体に含まれる排便ガスを検知し、制御装置は、ガスセンサの出力に基づき、吸引された気体に排便ガスが含まれていると判定すると、制御弁を吸引装置により吸引された気体を回収容器に供給する状態に切り替え、これにより回収容器に吸引された気体を回収する回収制御を実施し、制御装置は、被験者の一回の排便行為中に排泄される排便ガスのうち、少なくとも大腸末端に溜まったガスを含む初期部分を回収するように回収制御を実施し、さらに、制御装置は、初期部分の回収後は、被験者の一回の排便行為中に排出される排便ガスの回収を禁止する回収禁止制御を実施する、ことを特徴とする。
【００１５】
排便ガスに含まれるメチルメルカプタンなどの臭気性ガスは非常に微量である。このため、癌などの診断を正確に行うためには、被験者が排泄した排便ガスを確実に回収する必要がある。被験者が排泄した排便ガスを十分に回収できない場合には正確な診断を行うことができないばかりか、誤診断の原因となり被験者に心理的負担を与えてしまうおそれがある。
【００１６】
排便ガスを十分に回収するためには、例えば、被験者が着座してから離座するまでの期間にわたってボウルからガスを回収することも考えられる。しかしながら、ボウル内には残留ガスが存在し、この残留ガスにも臭気性ガス成分が含まれており、このような残留ガスを大量に回収してしまうと、診断精度が低下してしまう。さらに、付着便が存在する場合には、他人の排便ガスまでも回収してしまうため、誤診の原因となってしまう。
【００１７】
これに対して、大便器に排便検知センサを設け、排便検知センサにより大便の排泄が検知された場合に、ボウルから気体を回収することが考えられる。しかしながら、このように排便検知センサにより大便を検知してから気体を回収したとしても診断に適した排便ガスを回収することはできなかった。発明者らは、この原因として、排便ガスは大便よりも先に肛門から排泄されることを発見した。
【００１８】
また、発明者らは、鋭意研究の結果、大腸内の肛門近傍の末端部に溜まったガスは腸全体の癌等の影響が含まれていることを発見した。これは、大腸内の肛門近傍の末端部に溜まったガスは、腸全体を時間をかけて通過しているため、大腸の全体にわたって癌等の患部から生成されたメチルメルカプタン等の臭気性ガス成分が含まれるが、大腸内のその他の部位、特に上流側の部位に溜まったがガスは排便時に大腸内の下流側の部位を一気に通過してしまうため、大腸内の下流側の部位に癌等の患部があったとしてもその患部から生成された臭気性ガス成分を十分に含まないためである。このため、通常、一回の排便行為では排便ガスは複数回に分かれて排泄されるが、大腸末端に溜まっており、排便行為の初期に排泄される排便ガスを回収することにより、排便ガスに反映される腸内環境に関する情報を的確に取得することができる。
【００１９】
本件発明は、上記の発明者らの試行錯誤により得られた知見に基づくものである。
まず、本発明では、排便時に排泄される排便ガスを回収容器に回収している。そして、このように回収容器に回収された排便ガスを成分分析することにより癌の診断を行うことができる。このように本発明では、被験者は通常通りに排便行為を行うのみで癌の診断を行うことができ、内視鏡などに比べて被験者に対する肉体的負担が非常に少ない。また、本発明では、ガスを回収するのみであり、便を採取するものではない。このため、大便を他人に見られるなどの被験者の心理的負担を抑えることができる。
【００２０】
また、本発明では、ガス吸引装置により大便器のボウルから気体を吸引する構成としている。メチルメルカプタン等の臭気性ガスは空気に比べて軽い。このため、排便ガスは排泄された直後から上昇してしまう。これに対して、本発明によれば、排泄された排便ガスがガス吸引装置により吸引されるため、確実に排便ガスを捕集することができる。
【００２１】
また、本発明では、制御装置は、ガスセンサの出力に基づき、吸引された気体に排便ガスが含まれていると判定すると、制御弁を吸引装置により吸引された気体を回収容器に供給する状態に切り替る構成としている。このため、排便行為の初期に排泄される排便ガスを確実に回収することができるとともに、大便が排泄される前に放出された排便ガスも確実に捕集することができる。このように、本発明によれば、排便行為の初期に排泄される排便ガスを確実に回収することができるため、腸内環境をよく反映した初期の排便ガスを回収することができるため、高い診断精度を確保できる。
【００２２】
さらに、本発明では、制御装置は、ガスセンサにより排便ガスが含まれることを検知する以前から、吸引を実施するように吸引装置を制御している。このため、被験者が排泄した排便ガスは、ボウルから外部に逃げることなく、ガス吸引装置により確実に吸引され、排便ガスを確実に回収することができる。
【００２３】
また、被験者は通常一回の排便行為中に複数回排便ガスを排出するが、腸内末端に滞留する排便ガスを確実に回収するために、一回の排便行為中に排泄される排便ガスを全て回収することも考えられる。しかしながら、この場合には回収容器が非常に大きくなってしまうだけでなく、腸内環境が十分に反映されていない大腸の上流側に滞留していたガスまでも回収してしまうため、診断精度が低下してしまう。
【００２４】
これに対して、本発明によれば、被験者の一回の排便行為中に排泄される排便ガスのうち、少なくとも大腸末端に溜まったガスを含む初期部分を回収するように回収制御を実施しているため、回収したガスには、大腸全体の腸内環境を反映した大腸末端に溜まった排便ガスが含まれる。さらに、本発明によれば、初期部分の回収後は、被験者の一回の排便行為中に排出される排便ガスの回収を禁止する回収禁止制御を実施するため、大腸の下流側の部位の腸内環境が十分に反映されていない大腸の上流側に滞留していたガスが回収されるのを防止することができ、診断精度を向上することができる。
【００２５】
また、本発明において、好ましくは、さらに、被験者が前記大便器に着座するのを検知する着座検知手段を有し、制御装置は、着座検知手段により被験者が大便器に着座したのを検知した後に、被験者から排出された排便ガスを回収するように回収制御を行う。
【００２６】
被験者が着座する前に排便ガスの回収を開始しようとしても、被験者はトイレ空間への入室後または大便器への接近後、着座する前に歩行動作や、振り向き動作や、脱衣動作や、着座動作を行い、この際、被験者に付着していた臭気性ガス成分がトイレ空間内、特に大便器近傍に広がるため、排便ガスとともに混合されて回収されてしまい、分析の際のノイズとなってしまう。これに対して、着座検知手段により被験者が大便器に着座したのを検知した後に、被験者から排出された排便ガスを回収するように回収制御を行うため、被験者の動きの少ない着座後の安定した環境において、排便ガスの回収を行うことができ、被験者に付着した異臭ガス成分が回収されることを抑制できる。
【００２７】
また、本発明において、好ましくは、回収制御は、予め決定された所定時間にわたり実施される。
上記構成の本発明によれば、回収制御を所定時間のみ行う構成としているため、腸内末端に溜まっていた排便ガスが確実に回収されるとともに、腸内環境が十分に反映されていない大腸の上流側に滞留していたガスを回収することを抑制し、これにより分析精度を向上することができる。また、回収制御を行う時間を一定にすることにより、毎回のガス回収が同条件で行われるため、継時的な診断を精度良く行うことができる。
【００２８】
また、本発明において、好ましくは、さらに、被験者の大便器への近接を検知する被験者位置確認手段を有し、前記制御装置は、前記被験者位置確認手段により被験者の大便器への近接が検知された後、かつ、着座検知手段により被験者が大便器に着座するのを検知する前の排便準備期間中にガス吸引装置を駆動させ、吸引装置が有するファンの回転数が一定になるように制御する。
【００２９】
上述の通り、被験者のトイレ空間への進入後、又は、大便器への接近後、被験者の動作等により被験者に付着していた臭気性ガス成分がトイレ空間内、特に大便器近傍に拡がる。そして、着座後この被験者に付着していた臭気性ガス成分の影響は安定する。これに対して、上記構成の本発明によれば、被験者位置確認手段により検知されると、制御装置が、着座検知手段により被験者が大便器に着座するのを検知する前の排便準備期間中に吸引装置が有するファンの回転数が一定になるように制御するため、臭気性ガス成分の影響が不安定な状態においてガス吸引装置の回収のための準備を行い、着座後の安定した状態ではガス吸引装置の風量を一定条件とすることができ、回収精度を向上することができる。
【００３０】
また、本発明において、好ましくは、さらに、ガスセンサを加熱するセンサ加温ヒータを有し、制御装置は、排便準備期間中にガスセンサの温度が一定になるように、センサ加温ヒータを制御する。
上記構成の本発明によれば、ガス吸引装置と同様に、臭気性ガス成分の影響が不安定な状態においてガスセンサの回収のための準備を行い、着座後の安定した状態ではガスセンサの温度を一定条件とすることができ、安定した状態で回収を実施することができる。
【００３１】
また、本発明において、好ましくは、制御装置は、ガスセンサにより吸引された気体に排便ガスが含まれることが検知されてから、予め決定された所定時間が経過した時点で、制御弁を気体を回収容器に供給する状態に切り替える。
【００３２】
ガスセンサから制御弁までの距離は変化することはないため、このような構成の本発明によれば、吸引装置のファンを一定の回転数で回転させることにより、ガスセンサに検知された排便ガスが制御弁に到達するまでの時間を一定にできる。このため、毎回、排便ガス中の同一条件の（腸内の略同一の位置に溜まった）部分を回収することができる。特に、ガスセンサによる排便ガスの検知から制御弁の切り替えまでの時間を設定することにより、大腸末端に溜まったガスを含む排便ガスの初期部分をより確実に排便ガスを回収することができる。
【００３３】
また、本発明において、好ましくは、所定時間は、排便ガスが回収容器まで到達する時点よりも早い時点であり、これにより、回収容器には排便ガスよりも前にガス吸引装置により吸引された気体が所定量含まれる。
上述の通り、吸引ファンを一定の回転数で回転させることにより、ガスセンサに検知された排便ガスが制御弁に到達するまでの時間が一定になる。このため、上記の構成の本発明によれば、腸末端に溜まったガスを含む排便ガスの初期部分を確実に回収することができる。また、回収容器に回収された気体には、被験者に付着した異臭ガス成分や、トイレ空間内の付着便等による異臭ガス成分が含まれることになるが、毎回一定量となるため、診断への影響を抑えることができる。
【００３４】
また、本発明において、制御装置は、排便準備期間中のガスセンサの出力に基づき基準値を設定し、ガスセンサの出力と基準値とを比較することにより回収制御を実施する。
被験者に付着した臭気性ガスの量は、運動による汗の量やシャンプーの変更等により、一定ではない。また、トイレ空間内の付着便等の臭気性ガスの量も変化する。これに対して、上記構成の本発明によれば、毎回、排便準備期間中のガスセンサの出力に基づき基準値を設定するため、確実に排便ガスを回収することができる。
【００３５】
また、本発明において、好ましくは、制御装置は、排便準備期間中に、ガスセンサによる出力に基づき、排便ガスを回収するのに適していない状況であると判断した場合に、排便ガス回収制御を行わない。
【００３６】
本発明の排便ガスの回収の対象となるような大腸癌等の病気が軽度の人又は未病の人は、寝たきりの患者と異なり、日常生活で汗をかいたり、下着に便等が付着したり、洗剤や香水等を使用したりするため、被験者に多量に臭気性ガスが付着するおそれがある。このように大量に臭気性ガスが被験者に付着してしまうと、排便ガスを回収しても誤診となるおそれがある。これに対して、本発明によれば、ガスセンサによる出力に基づき、排便ガスを回収するのに適していない状況であると判断した場合に、排便ガス回収制御を行わないため、無駄な回収制御を行うことを防止できる。さらに、このような場合には、非排便ガス回収制御も不要となるが、本発明によれば、非排便ガス回収制御も行わず、無駄な非排便ガスの回収を省略することができる。
【発明の効果】
【００３７】
本発明によれば、メチルメルカプタン等の臭気性ガスを含む排便ガスを回収するためのシステムであって、精度の高い診断が可能となる排便ガス回収システムが提供される。
【図面の簡単な説明】
【００３８】
【図１】トイレ空間に設置された水洗大便器に本発明の第１実施形態による排便ガス回収システムを取り付けた状態を示す図である。
【図２】図１に示す排便ガス回収システムの便座側装置を拡大して示す斜視図である。
【図３】第１実施形態の排便ガス回収システムの構成を示すブロック図である。
【図４】第１実施形態におけるガス吸引装置の構成を示す図である。
【図５】第１実施形態の排便ガス回収システムの回収装置の構成を示す図である。
【図６】第１実施形態の排便ガス回収システムの回収装置の配管群及び回収袋の分解図である。
【図７】流路開閉弁の構成を示し、（ａ）は開放状態、（ｂ）は閉鎖状態を示す。
【図８】軟質配管ユニットを取り外した流路開閉弁を示す図である。
【図９】排便ガスを回収する流れを説明する図である。
【図１０】回収袋の交換方法を説明するための図である。
【図１１】被験者の１回の排便行動における、排便ガス回収システムに備えられた各センサによる検出信号及び制御弁の駆動を模式的に示したグラフである。
【図１２】回収制御及び回収禁止制御について説明するための図である。
【図１３】回収袋に回収された気体を成分分析する流れを説明するための図である。
【図１４】排便ガスの分析結果から残留ガス等の影響を除去する方法を説明するための図である。
【図１５】分析結果表示機に表示される分析結果の一例を示す。
【図１６】臭気性ガスセンサにより検出された検出値が増加傾向にある場合における基準値の設定方法を説明するための図である。
【図１７】（ａ）は、第２実施形態による排便ガス回収システムにおける便座側装置をトイレ空間に設置された水洗大便器に取り付けた状態を示す図であり、（ｂ）は、（ａ）に示す便座側装置を示す斜視図である。
【図１８】本発明の第３実施形態の排便ガス回収システムを示し、（ａ）は便器装置と回収装置とが接続された状態を示す斜視図であり、（ｂ）は便器装置と回収装置との接続が解除された状態を示す斜視図である。
【図１９】第３実施形態の排便ガス回収システムの構成を示すブロック図である。
【図２０】第３実施形態の排便ガス回収システムにおけるガス吸引装置の構成を示す図である。
【図２１】図１８に示す排便ガス回収システムの回収装置の内部の構成を示す図である。
【図２２】（ａ）は、図２１に示す回収装置の配管群及び回収袋を取り外した状態を示し、（ｂ）は回収装置の配管群及び回収袋の分解図である。
【図２３】図２１に示す回収装置において取り外し可能な配管群及び回収袋を破線で示す図である。
【図２４】第３実施形態の排便ガス回収システムにおける排便ガス回収時以外における便器装置を示す図である。
【図２５】（ａ）は、第４実施形態による排便ガス回収システムにおける便座側装置をトイレ空間に設置された水洗大便器に取り付けた状態を示す図であり、（ｂ）は、（ａ）に示す便座側装置を示す斜視図である。
【図２６】６０代以下の健常者、６０〜７０代の健常者、早期がんの患者、進行癌の患者の排便ガスに含まれる健康系ガスと、臭気性ガスの量を測定した結果を示す図である。
【発明を実施するための形態】
【００３９】
以下、本発明の排便ガス回収システムの実施形態を図面を参照しながら詳細に説明する。
図１は、トイレ空間に設置された水洗大便器に本発明の第１実施形態による排便ガス回収システムを取り付けた状態を示す図である。図１に示すように、排便ガス回収システム１は、トイレ空間Ｒ内の水洗大便器２に取り付けられ、おしり洗浄機能付き便座４に一部が組み込まれている便座側装置６と、便座側装置６と通信可能なリモコン８と、便座側装置６が吸引した排便ガスを回収する回収装置１０と、を備える。本実施形態の排便ガス回収システム１は、被験者が大便を排便する際に水洗大便器２のボウル２ａ（図２）内に排出された排便ガスを回収するためのものである。そして、回収された排便ガスは、例えば、ガスクロマトグラフィー等により含まれるガス成分の分析が行われ、分析結果に基づき癌等の診断を行うものである。
【００４０】
まず、排便ガスのガス成分分析により癌、特に大腸癌の診断を行う原理を説明する。
消化器系の癌、特に大腸癌を患うと、患部からメチルメルカプタンや硫化水素等の硫黄成分を含む臭気性ガスが、排便と同時に排出されることが文献等で報告されている。消化器とは食道、胃、十二指腸、小腸、大腸、肝臓、すい臓、胆嚢、であり、大腸も、虫垂、盲腸、直腸、結腸に分類できるが、以下この４つの部位を総称して大腸とする。癌は、日々の変化は少なく、徐々に進行していくものである。癌が進行すると硫黄成分を含む臭気性ガス、特に、メチルメルカプタンの量が増加していく。すなわち、硫黄成分を含む臭気性ガスのガス量が増加した場合には、癌が進行していると判断することができる。
【００４１】
ここで、排便時に排泄される排便ガスには、硫化水素及びメチルメルカプタン以外に、窒素、酸素、アルゴン、水蒸気、二酸化炭素、水素、メタン、酢酸、トリメチルアミン、アンモニア、プロピオン酸、二硫化メチル、三硫化メチルなどが含まれている。このうち、癌の疾病を判定するためには、硫黄系成分を含む臭気性ガス、特に、メチルメルカプタンの量を測定する必要がある。
【００４２】
さらに、発明者らは、健常者は、腸内環境が酸性であるが、癌患者になると、腸内環境がアルカリ性になり、さらに、ビフィズス菌等の量が減ってしまい、ＣＯ2、Ｈ2、脂肪酸などの醗酵系成分の健康系ガス量が臭気性ガス量の増加に反比例するように確実に継続的に少なくなることに着目した。
【００４３】
そこで、発明者らは、６０代以下の健常者、６０〜７０代の健常者、早期がんの患者、進行癌の患者の排便ガスに含まれる健康系ガスと、臭気性ガスの量を測定したところ、図２６に示すような結果となった。すなわち、健常者の排便ガスは、健康系ガス量が多く、臭気性ガスのガス量が少ない。これに対して、がん患者の排便ガスは、健康系ガス量が少なく、臭気性ガスの量が多い。そして、早期癌に比べて進行癌の排便ガスに含まれる健康系ガスの量は減少している。さらに、健康系ガス量及び臭気性ガス量ががん患者と健常者の中間量である場合には、グレーゾーンであると考えられる。このため、発明者らは、上記の知見に基づき、被験者の健康系ガスのガス量と臭気性ガスのガス量を測定し、これらの相関に基づき健康状態を高精度で判定することができると考えた。
【００４４】
また、発明者らは、排便ガスを測定したところ、１回の排便時に、複数回の排泄行為（１回のおならや１回の便を排出する行為）を行う場合には、初回の排泄行為に伴って排出される排便ガス量に多く臭気性ガスも多く含まれることが判明した。これは、初回の排泄行為に伴って排出される排便ガスは大腸内の肛門近傍の末端部に溜まったガスであり、この大腸内の末端部に溜まったガスは腸全体を時間をかけて通過しているため、大腸の全体にわたって癌等の患部から生成されたメチルメルカプタン等の臭気性ガス成分が含まれるが、大腸内のその他の部位に溜まったがガスは排便時に大腸内の下流側の部位を一気に通過してしまうため、大腸内の下流側の部位に癌等の患部があったとしてもその患部から生成された臭気性ガス成分を十分に含まないためである。
【００４５】
したがって、微量な臭気性ガスに基づき正確な診断を行うために初回の排便ガスを回収することが好ましい。２回目以降の排泄行為のガスを測定する際には、初回の排泄行為により排出された便の影響を受ける可能性があるため、この影響を軽減できる。このため、排泄行為にともない排泄される排便ガスのうち、初回の排泄行為に伴って排出される排便ガスのうち、大腸内の肛門近傍の末端部に溜まった初期の部分を回収することにより、より正確な診断を行うことができる。
【００４６】
図２は、図１に示す排便ガス回収システムの便座側装置を拡大して示す斜視図である。図２に示すように、便座側装置６は、トイレ空間Ｒ内の水洗大便器２に取り付けられ、おしり洗浄機能付き便座４に一部が組み込まれている。おしり洗浄機能付き便座４には、便座側装置６として、水洗大便器２のボウル２ａ内のガスを吸引するガス吸引装置７と、吸引されたガスに含まれる特定の成分を検出するガス検出装置９が組み込まれている。また、ガス吸引装置７、ガス検出装置９等の便座４に組み込まれた各装置は、便座側に内蔵された制御装置１２（図３）によって制御される。
【００４７】
図３は、第１実施形態の排便ガス回収システムの構成を示すブロック図である。図３に示すように、便座側装置６は、ＣＰＵ１２ａと記憶装置１２ｂを有する便器側制御装置１２を備えている。この制御装置１２は、水素ガスセンサ１４と、臭気性ガスセンサ１６と、二酸化炭素センサ１８と、温度センサ２０と、湿度センサ２２と、入室検知センサ２４と、着座検知センサ２６と、排便・排尿検知センサ２８と、便蓋開閉装置３０と、ノズル駆動装置３２と、ノズル洗浄装置３４と、便器洗浄装置３６と、便器除菌装置３８と、ガス吸引装置７と、センサ加温ヒータ４６と、クリーニングガス供給装置４８と、ダクトクリーナー５６と、送受信機５８と、に接続されている。さらに、便器側制御装置１２は、回収装置１０の通路加温ヒータ５１と、回収袋開閉弁５２と、流路開閉弁５４とにも制御可能に接続されている。なお、ＣＰＵ１２ａには、水素ガスセンサ１４、臭気性ガスセンサ１６、二酸化炭素センサ１８、及び、排便・排尿検知センサ２８の出力に基づきおならが排泄されたか否かを検知する分析回路が構成されている。
【００４８】
温度センサ２０は、臭気性ガスセンサ１６等の触媒の温度を測定する。臭気性ガスセンサ１６等のセンサ感度は、触媒の温度により僅かに変化してしまう。本実施形態では、臭気性ガス量が非常に少量であるためこの微量なガスを精度よく安定して検知できるように、温度センサ２０により測定された温度に応じて、便器側ＣＰＵ１２ａは温度センサ２０のセンサ温度を所定の範囲に正確に保つように、後述するセンサ加温ヒータ４６を制御して、所定の温度環境に調整する。
湿度センサ２２は、ガス吸引装置７により吸引された気体の湿度を測定する。
【００４９】
入室検知センサ２４は、例えば、赤外線センサであり、被験者のトイレ空間Ｒへの入退出を検知する。入室検知センサ２４は、大便器２が設けられたトイレ空間への被験者の入退、すなわち、被験者の大便器への近接を検知する被験者位置確認手段として機能する。また、例えば病院の個室等に設置可能な大便器を用いる場合には入室検知センサ２４に代えて大便器から所定の距離への被験者の入退を検知するような赤外線センサを用いるとよい。このようなセンサも入室検知センサ２４と同様に被験者位置確認手段として機能する。
【００５０】
着座検知センサ２６は、例えば、赤外線センサや圧力センサ等であり、被験者が便座４に着座しているか否かを検知する。
【００５１】
排便・排尿検知センサ２８は、本実施形態においては、マイクロ波センサで構成されており、被験者により排出されたものが小便であるか、大便であるか、さらに、大便が封水に浮いているか、沈んでいるか、また、便が下痢状態であるか否か等の排便の状態を検知するように構成されている。或いは、ＣＣＤや、封水の推移を測定する水位センサ等で排便・排尿検知センサ２８を構成することもできる。
【００５２】
便蓋開閉装置３０は、入室検知センサ２４等の検出信号に基づいて、状況に応じて便蓋を開閉するための装置である。また、便蓋開閉装置３０は、自動に開閉することなく、被験者により便蓋が開閉されたことを検知することも可能である。
ノズル駆動装置３２は、おしり洗浄に用いられる清掃装置であり、排便後の被験者のおしりの洗浄を行う装置である。ノズル駆動装置３２は、ノズルを駆動して、水洗大便器２の洗浄を行うように構成されている。
ノズル洗浄装置３４は、ノズル駆動装置３２のノズルを洗浄するための清掃装置であり、本実施形態においては、水道水から次亜塩素酸を生成し、生成した次亜塩素酸によりノズルを洗浄するように構成されている。
【００５３】
便器洗浄装置３６は、洗浄水タンク（図示せず）に貯留されていた水や水道水を便器内に放出し、水洗大便器２のボウル２ａ内を洗浄するための清掃装置である。便器洗浄装置３６は、通常は被験者によるリモコン８の操作により作動され、ボウル２ａ内を洗浄するが、後述するように、状況に応じて制御装置１２により自動的に作動される。
便器除菌装置３８は、例えば、水道水から次亜塩素酸水などの除菌水を生成し、生成した除菌水を水洗大便器２のボウル２ａに噴霧し、ボウル２ａの殺菌を行う装置である。
【００５４】
ガス吸引装置７は、水洗大便器２のボウル２ａ内のガスを吸引するためのファンを備えており、吸引されたガスは臭気性ガスセンサ１６等の検出部を流れた後、接続配管７５を通じて回収装置１０へ送られる。ガス吸引装置７の詳細な構成については後述する。
センサ加温ヒータ４６は、臭気性ガスセンサ１６等の触媒を加熱活性させるためのものである。各センサは触媒が所定温度に維持されることにより、所定の気体成分を正確に検出することができる。
【００５５】
クリーニングガス供給装置４８は、例えば、空気やオゾンガス等のクリーニングガスを回収管路内に供給する装置である。
ダクトクリーナー５６は、ガス吸引装置７の回収通路内を、例えば、水道水を電気分解した次亜塩素酸等により清掃するための装置である。
【００５６】
次に、図３に示すように、リモコン８は、ＣＰＵ６０ａと記憶装置６０ｂを有するリモコン側制御装置６０を備えている。このリモコン側制御装置６０には、個人認証装置６２と、入力装置６４と、送受信機６６と、表示装置６８と、スピーカー７０と、時刻取得装置７２が接続されている。
記憶装置６０ｂには、過去の排便ガス回収情報が記憶されている。具体的には、被験者を識別するための被験者識別情報と、排便ガスを回収した日時に関する回収日時情報と、回収した回収袋８２（図５）を識別する回収袋識別情報と、回収した気体がボウル内に残存する残留ガスであるか、排便ガスであるか、おならであるかに関するガス情報が対応づけられて記憶されている。
【００５７】
個人認証装置６２は、例えば、バーコードリーダからなり、被験者が所持するバーコードを読み込み、被験者を識別するための被験者識別情報を取得する。
入力装置６４及び表示装置６８は、本実施形態においては、タッチパネルで構成されている。
【００５８】
スピーカー７０は、排便ガス回収システム１が発する各種の警報、メッセージ等を出力するように構成されている。表示装置６８及びスピーカー７０は被験者に対する報知装置として機能する。
時刻取得装置７２は、例えば、時計などであり、排便ガスを回収した日時に関する時刻情報をリモコン側制御装置６０に提供する。
リモコン８側の送受信機６６は、ネットワークを介して医師や、看護師が所持する送受信機７３と通信可能に接続されている。送受信機７３は、例えば、携帯電話、スマートフォン、タブレットＰＣ、又はＰＣ等からなる。送受信機７３は医師や看護師に対する報知手段として機能する。
【００５９】
次に、図４を参照して、便座４に内蔵されているガス検出装置９の構成を説明する。
まず、本実施形態の排便ガス回収システム１では、臭気性ガス及び水素ガスを検出するために、ガス検出装置９の臭気性ガスセンサ１６及び水素ガスセンサ１４として半導体ガスセンサが用いられている。また、二酸化炭素を検出するための二酸化炭素センサ１８として、ガス検出装置９には、固体電解質センサが用いられている。
【００６０】
半導体ガスセンサは、酸化スズ等を含む酸化金属膜からなる触媒を有する。触媒は、数百度に加熱された状態で、加熱された触媒が還元性ガスに曝されると、表面に吸着している酸素と還元性ガスの間で酸化・還元反応がおこる。半導体ガスセンサは、この酸化・還元反応による触媒の抵抗値の変化を電気的に検出することにより、還元性ガスを検出することができる。半導体ガスセンサが検出可能な還元性ガスには、水素ガスや、臭気性ガスが含まれる。なお、本実施形態においては、臭気性ガスを検出するセンサ、水素ガスを検出するセンサ共に半導体ガスセンサが使用されているが、臭気性ガスセンサに使用されている触媒は臭気性ガスに強く反応するように、水素ガスセンサに使用されている触媒は水素ガスに強く反応するように、夫々触媒の成分が調整されている。
【００６１】
このように、本実施形態においては、「臭気性ガスセンサ」として「半導体ガスセンサ」が使用されているが、上記のようにこの「半導体ガスセンサ」は検出対象としているメチルメルカプタンガスの他、それ以外の臭気性ガスにも広く反応する一般的な物を使用している。また、後述するように「臭気性ガスセンサ」として固体電解質センサを用いることも可能であるが、固体電解質センサも、半導体ガスセンサと同様にメチルメルカプタンガスの他、それ以外の臭気性ガスにも広く反応する一般的な物を使用してかまわない。上記のように、本実施形態において採用されているガスセンサは、メチルメルカプタンガス、及びメチルメルカプタンガス以外の臭気性ガスにも反応してしまうセンサであるが、本明細書においては、便宜上、これを「臭気性ガスセンサ」と呼ぶことにする。本実施形態において採用されている「臭気性ガスセンサ」が反応する臭気性ガスとして、代表的には、メチルメルカプタンガス、硫化水素ガス、アンモニアガス、アルコール系のガスが挙げられる。
【００６２】
なお、本実施形態では、臭気性ガス及び水素ガスを検出するためのセンサとして半導体ガスセンサを用いた場合について説明するが、これに代えて、固体電解質センサを用いることも可能である。固体電解質センサは、例えば、安定ジルコニア等の固体電解質を加熱しておき、固体電解質を透過するイオン透過量に基づいて、ガスを検知するセンサである。固体電解質センサが検出可能なガスには、水素ガス及び臭気性ガスが含まれる。また、本実施形態では、二酸化炭素を検出するためのセンサとして、固体電解質センサが用いられている。二酸化炭素センサはこれらに限られるものではなく赤外方式などでも良い。なお、本実施形態体では、排便ガスを検出するためのガスセンサとして、水素ガスセンサ１４と、臭気性ガスセンサ１６と、二酸化炭素センサ１８とを設けているが、少なくとも１つ設けられていればよい。
【００６３】
図４は第１実施形態におけるガス吸引装置の構成を示す図である。図４に示すように、本実施形態においては、ガス吸引装置７の内部にガス検出装置９が配置されている。
ガス吸引装置７は、上下方向に延び、ボウル２ａの背面側に下方に向かって開口する上下方向通路７ａと、上下方向通路７ａの開口から上方に延びた後、概ね水平方向に延びる横方向通路７ｂと、横方向通路７ｂの下流側に配置された吸引装置としての吸引ファン７ｃと、により構成されている。また、上下方向通路７ａから横方向通路７ｂにより構成される吸気通路の内部には、クリーニングガス供給装置４８、及び、ダクトクリーナー５６が設けられている。
【００６４】
ガス検出装置９は、吸気通路の内部に配置されたフィルタ７４と、臭気性ガスセンサ１６と、水素ガスセンサ１４と、二酸化炭素センサ１８によって構成されている。
図４に示すように、吸気通路を横断するようにフィルタ７４が配置され、フィルタ７４の下流側に臭気性ガスセンサ１６、水素ガスセンサ１４、及び二酸化炭素センサ１８が並置されている。
【００６５】
吸引ファン７ｃは、水洗大便器２のボウル２ａ内の気体を吸引通路内に吸い込むものである。上下方向通路７ａは、内部へ小便等の飛沫が入り込まないように、吸引口が下方に向けられた状態でボウル２ａ内に開口している。メチルメルカプタン等の臭気性ガスや、水素ガスは分子量が小さいため、排便後すぐに上昇してしまう。これに対して、本実施形態では、吸引ファン７ｃによってボウル２ａ内に開口した上下方向通路７ａの入口から吸引することにより、排出された臭気性ガス及び水素ガスを含む排便ガスを確実にガス検出装置９内へ導入することができる。このように、ガス吸引装置７は、被験者が排便を開始する前から作動され、被験者の排便期間中において一定流速の気体を各ガスセンサに接触させる。
【００６６】
フィルタ７４は、脱臭機能を備えていないフィルタであって、臭気性ガス、水素、及び二酸化炭素を通過し、尿や洗浄剤等の異物の通過を妨げるように構成されている。このようなフィルタ７４としては、化学反応を利用せず、機械的に異物を捕集する部材、例えば、細かいネット状部材を用いることができる。これにより、臭気性ガスセンサ１６、水素ガスセンサ１４、及び二酸化炭素センサ１８が尿石等により汚染されるのを防止できる。
【００６７】
さらに、各ガスセンサに対して、各ガスセンサの上流側、かつ、フィルタ７４の下流側にセンサ加温ヒータ４６が夫々設けられている。上述の通り、半導体ガスセンサである臭気性ガスセンサ１６及び水素ガスセンサ１４は、触媒を所定の温度に加熱した状態において、水素及び臭気性ガスを検出することができる。センサ加温ヒータ４６は、臭気性ガスセンサ１６及び水素ガスセンサ１４の触媒を加熱するために設けられている。また、二酸化炭素センサ１８も固体電解質を所定の温度に加熱する必要があり、センサ加温ヒータ４６が設けられている。これらセンサ加温ヒータ４６はセンサに付着した異臭ガス成分を加熱除去するための異臭除去装置としても機能する。なお、臭気性ガスセンサ、水素ガスセンサとして固体電解質センサを使用する場合においても触媒を加熱するためのセンサ加温ヒータを設ける必要がある。
【００６８】
さらに、センサ加温ヒータ４６は、各センサに付着した堆積物を除去するための手段としても機能する。フィルタ７４を通過したガスは異物が除かれているものの、吸引したガスには様々な異臭ガス成分が含まれている。このような異臭ガス成分は各ガスセンサに付着し、微量な臭気性ガスを測定する際のノイズの原因となりうる。これに対して、センサ加温ヒータ４６により、センサの触媒を加熱することにより、新たな装置を設けることなく、センサに付着した異臭ガスを加熱除去することができる。また、制御装置１２は、被験者の排便行動が開始される前から、各ガスセンサの温度が一定になるようにセンサ加温ヒータ４６を制御する。即ち、制御装置１２は、気流が接触することにより、各ガスセンサの温度が低下するのを抑制するように、センサ加温ヒータ４６を制御する。これにより、被験者の排便期間中において、各ガスセンサの感度が所定の値に管理され、各ガスセンサによる測定誤差を抑制することができる。
【００６９】
ここで、臭気性ガスセンサ１６として用いている半導体ガスセンサは、臭気性ガスのみならず、水素も検出してしまう。しかしながら、臭気性ガスセンサ１６は排便ガスを検知するために設けられており、臭気性ガスのガス量を測定する必要はないため、水素を検出したとしても問題はない。
ガス吸引装置７により、ボウル２ａから吸引された気体は接続配管７５（図１）を介して、回収装置１０へと送られる。
【００７０】
図５は、第１実施形態の排便ガス回収システムの回収装置１０の構成を示す図である。図５に示すように、回収装置１０は、フレーム８６（図１）と、回収通路を構成する配管群８０と、制御弁としての回収袋開閉弁５２ａ、５２ｂ、５２ｃ及び流路開閉弁５４と、回収袋８２ａ、８２ｂ、８２ｃと、脱臭ユニット８４と、を備える。
【００７１】
図６は、第１実施形態の排便ガス回収システムの回収装置１０の配管群８０及び回収袋８２の分解図である。配管群８０は、複数の円筒状の直管８０ａと、複数のＴ字型の分岐管８０ｂと、複数の軟質配管ユニット８０ｃとが組み合わされて構成されている。直管８０ａ、分岐管８０ｂ、軟質配管ユニット８０ｃは固定用バンドなどの簡易に取り外し可能な部材により支持されている。配管群８０の外周には伝熱線等の通路加温ヒータ５１（図３）が設けられており、通路加温ヒータ５１により配管群８０を加熱することができる。
【００７２】
直管８０ａ及び分岐管８０ｂは、硬質のポリテトラフルオロエチレン樹脂（ＰＴＦＥ）で構成されている。なお、これに限らず、直管８０ａ及び分岐管８０ｂは、例えば塩化ビニール等の他の硬質樹脂製の配管の内側にＰＴＦＥによるコーティングを行った配管を用いてもよい。
【００７３】
軟質配管ユニット８０ｃは、可撓性を有する軟質の筒状のＰＴＦＥ樹脂からなる筒状部材８０ｃａ（図５）の両端に、硬質のＰＴＦＥ製の直管８０ｃｂ（図５）を接続して構成される。なお、軟質配管ユニット８０ｃも、ＰＴＦＥ以外の樹脂からなる可撓性を有する筒状部材の両端に直管を接続し、筒状部材及び直管の内側にＰＴＦＥによるコーティングを行ってもよい。
【００７４】
本実施形態では、回収装置１０の下部に上流側（図５の右側）から、直管８０ａ、分岐管８０ｂ、直管８０ａ、分岐管８０ｂ、直管８０ａ、分岐管８０ｂ、軟質配管ユニット８０ｃの順序で水平に連結されている。最上流側の直管８０ａの上流側端部には、便座側装置６のガス吸引装置７から延びる接続配管７５（図１）が接続されている。また、最下流側の軟質配管ユニット８０ｃの下流側に脱臭ユニット８４が連結されている。
【００７５】
各分岐管８０ｂの分岐路は上方に開口している。そして、各分岐管８０ｂの分岐路には、それぞれ上下方向に延びる軟質配管ユニット８０ｃの下端が接続されている。
配管群８０を構成する直管８０ａ、複数のＴ字型の分岐管８０ｂ、複数の軟質配管ユニット８０ｃ、及び回収袋８２は、パイプバンド等の簡易に取り外し可能な接続器具を用いて連結されている。
【００７６】
各回収袋８２は可撓性の材料からなり、袋状に形成された回収袋本体８２Ａと、回収袋本体８２Ａ内に連通する筒状の回収口８２Ｂと、回収袋本体８２Ａに取り付けられたコック付ノズル８２Ｃとを備える。回収袋８２には、回収袋８２の上方を水平に延びるフレーム８６から延びる吊り部材８６ａにより、回収袋本体８２Ａが吊り下げられて支持されている。また、回収袋８２は、回収口８２Ｂが下方に位置するように支持されている。そして、各回収口８２Ｂ内に上下方向に延びる軟質配管ユニット８０ｃ２、８０ｃ３、８０ｃ４の上端が挿入され、回収口８２Ｂの外側からパイプバンド８５により締め付けることにより、各回収袋８２の回収口８２Ｂが軟質配管ユニット８０ｃに接続されている。また、各回収袋８２には、回収口８２Ｂから回収袋本体８２Ａまで延びるように、硬質のＰＴＦＥの直管８３Ａ、８３Ｂ、８３Ｃが収容されている。これは、可撓性の回収口８２Ｂが閉塞してしまい、回収袋８２内へ気体のスムーズな回収が阻害されるのを防止するためである。
【００７７】
脱臭ユニット８４は、脱臭用触媒を内蔵した装置であり、配管群８０を通じて送られた気体内の臭気性ガスなどを脱臭用触媒に吸着し、脱臭後の気体を外部に排出する。
【００７８】
次に、制御弁を構成する回収袋開閉弁５２ａ、５２ｂ、５２ｃ及び流路開閉弁５４の構成について説明する。なお、回収袋開閉弁５２ａ、５２ｂ、５２ｃ及び流路開閉弁５４は同様な構成であるので、以下、流路開閉弁５４の構成について説明する。
図７は、流路開閉弁の構成を示し、（ａ）は開放状態、（ｂ）は閉鎖状態を示す。また、図８は、軟質配管ユニット８０ｃを取り外した流路開閉弁を示す図である。図７に示すように、流路開閉弁５４はモータユニット８８と、開閉器９０とを備える。開閉器９０は、第１の開閉部材９２Ａ及び第２の開閉部材９２Ｂと、ねじりばね９４と、第１の開閉部材９２Ａ及び第２の開閉部材９２Ｂの対向する面に取り付けられた一対の台座部９６Ａ，９６Ｂと、一対の台座部９６Ａ，９６Ｂの対向する面にそれぞれの取り付けられた面ファスナ９８Ａ、９８Ｂとを備える。
【００７９】
第１の開閉部材９２Ａ及び第２の開閉部材９２Ｂは軸部９２Ｃを中心に、図７の紙面に水平な平面内で相対的に回動可能に構成された部材である。本実施形態では、開閉器９０は、第１の開閉部材９２Ａがモータユニット８８に対して遠位に、第２の開閉部材９２Ｂがモータユニット８８に近接するように所定の位置関係で設けられている。また、本実施形態では、第１の開閉部材９２Ａが回収装置１０のフレーム８６に固定されている。第１の開閉部材９２Ａ及び第２の開閉部材９２Ｂの間には、軟質配管ユニット８０ｃ１を構成する筒状部材８０ｃａが配置されている。
【００８０】
ねじりばね９４は、第１の開閉部材９２Ａ及び第２の開閉部材９２Ｂの軸部内に内蔵されており、図７（ａ）に示すような第１の開閉部材９２Ａ及び第２の開閉部材９２Ｂが開いた状態となるように、第２の開閉部材９２Ｂを第１の開閉部材９２Ａに対して離間するように付勢する。
【００８１】
台座部９６Ａ、９６Ｂは、例えば、ゴムなどの弾性部材により構成された部材である。台座部９６Ａ、９６Ｂの対向する側の面には段差が形成されており、軸部９２Ｃ近傍の部分が薄く、軸部９２Ｃから遠位の部分が厚くなっている。そして、軸部９２Ｃ近傍の薄い部分に面ファスナ９８Ａ、９８Ｂが取り付けられている。
【００８２】
第１の開閉部材９２Ａ及び第２の開閉部材９２Ｂと筒状部材８０ｃａとは固定されることなく着脱可能に取り付けられている。具体的には、軟質配管ユニット８０ｃ１を構成する可撓性の筒状部材８０ｃａの上下の部分には、面ファスナ１００Ｂ、１００Ａがそれぞれ取り付けられている。これら軟質配管ユニット８０ｃ１を構成する筒状部材８０ｃａに取り付けられた面ファスナ１００Ｂ、１００Ａは、それぞれ第１の開閉部材９２Ａ及び第２の開閉部材９２Ｂに取り付けられた面ファスナ９８Ａ、９８Ｂに着脱可能に取り付けられている。
【００８３】
このような構成により、流路開閉弁５４から容易に軟質配管ユニット８０ｃ１を取り外すことができる。具体的には、図８に示すように、流路開閉弁５４を開いた状態で、流路開閉弁５４の面ファスナ９８Ａ、９８Ｂから、軟質配管ユニット８０ｃ１の筒状部材８０ｃａの外面に取り付けられた面ファスナ１００Ｂ、１００Ａを剥がすのみで、流路開閉弁５４から軟質配管ユニット８０ｃ１を取り外すことができる。
【００８４】
モータユニット８８は、シャフト１０２Ａを回転駆動させるモータ１０２と、シャフト１０２Ａに固定された押圧部材１０４とを有する。モータユニット８８はモータ１０２を回転駆動させることにより、図７（ａ）に示すように、シャフト１０２Ａが開閉器９０の第２の開閉部材９２Ｂと離間した状態と、図７（ｂ）に示すように第２の開閉部材９２Ｂを押圧した状態とを切り替えることができる。
【００８５】
流路開閉弁５４により筒状部材８０ｃａを閉鎖するには、モータユニット８８のモータ１０２を回転駆動させて、図７（ｂ）に示すように、押圧部材１０４が開閉器９０の第２の開閉部材９２Ｂを押圧する状態に切り替える。そして、第２の開閉部材９２Ｂが第１の開閉部材９２Ａに向かって回動し、第２の開閉部材９２Ｂが第１の開閉部材９２Ａが筒状部材８０ｃａを挟み込む。これにより、筒状部材８０ｃａ内の空間が封止され、閉鎖状態に切り替えられる。
【００８６】
流路開閉弁５４により筒状部材８０ｃａを開放するには、モータユニット８８のモータ１０２を回転駆動させて、図７（ａ）に示すように、押圧部材１０４が開閉器９０の第２の開閉部材９２Ｂと離間した状態に切り替える。これにより、ねじりばね９４により付勢された第２の開閉部材９２Ｂが第１の開閉部材９２Ａから離間する方向に回動する。この際、軟質配管ユニット８０ｃ１を構成する筒状部材８０ｃａに取り付けられた面ファスナ１００Ｂ、１００Ａが、それぞれ第１の開閉部材９２Ａ及び第２の開閉部材９２Ｂに取り付けられた面ファスナ９８Ａ、９８Ｂに取り付けられているため、第２の開閉部材９２Ｂが第１の開閉部材９２Ａから離間する方向に回動すると、筒状部材８０ｃａ内の空間が開かれ、開放状態に切り替えられる。なお、回収袋開閉弁５２ａ、５２ｂ、５２ｃも同様に制御することにより、開放状態と閉鎖状態とを切り替えることができる。
【００８７】
以上説明した回収装置１０の構成により、必要に応じて、回収装置１０から脱臭ユニット８４、回収袋開閉弁５２ａ、５２ｂ、５２ｃ及び流路開閉弁５４を取り外すことなく、直管８０ａ、分岐管８０ｂ、軟質配管ユニット８０ｃ、及び回収袋８２を取り外し、新たな、直管８０ａ、分岐管８０ｂ、軟質配管ユニット８０ｃ、及び回収袋８２を取り付けることができる。また、直管８０ａ、分岐管８０ｂ、及び軟質配管ユニット８０ｃは、任意の一つのみを取り外して交換することもできる。
【００８８】
便座側装置６のガス吸引装置７により吸引された水洗大便器２のボウル２ａ内の空気は、ガス吸引装置７内の上下方向通路７ａ及び横方向通路７ｂを通り、便座側装置６の背面から接続配管７５に送りこまれる。接続配管７５に送りこまれた気体は、回収装置１０の配管群８０に送りこまれる。そして、後述するように、流路開閉弁５４が開放状態であり、かつ、回収袋開閉弁５２ａ、５２ｂ、５２ｃが閉鎖状態である場合には、配管群８０に送りこまれた気体は脱臭ユニット８４により脱臭され、トイレ空間Ｒ内に放出される。また、流路開閉弁５４が閉鎖状態であり、かつ、回収袋開閉弁５２ａ、５２ｂ、５２ｃの何れかが開放状態である場合には、ガス吸引装置７により吸引された気体は開放された回収袋開閉弁５２ａ、５２ｂ、５２ｃに対応する回収袋８２へ回収される。このようなガス吸引装置７の上下方向通路７ａ及び横方向通路７ｂから回収袋８２又は脱臭ユニット８４までの経路を回収通路という。そして、流路開閉弁５４、及び、回収袋開閉弁５２ａ、５２ｂ、５２ｃは、排便ガスを確実に回収できるように、ガス検出装置９から所定の距離以上、下流側に設けられている。
【００８９】
次に、図９を参照して、本発明の第１実施形態による排便ガス回収システム１により排便ガスを回収する流れを説明する。
図９は、排便ガスを回収する流れを説明する図である。
本実施形態の排便ガス回収システム１では、被験者が排便時に放出する排便ガスを回収するためのものである。そして、回収された排便ガスに含まれるメチルメルカプタンを主とする臭気性ガスと、健康系ガスのガス量を分析し、この分析により得られたガス量に基づき癌の判定を含む体調状態の分析を行うことができる。
【００９０】
ここで、被験者が排出した排便ガスの全てを吸引装置７によって吸引することは困難であると共に、便器内やトイレ内が非常に不衛生な状態では、これが外乱となって影響をおよぼし、ガス検出装置により排便ガスを検出できなかったり、分析精度が低下したりするおそれがある。
【００９１】
これに対して、上述の通り、１回の排便時に、複数回の排泄行為（１回のおならや１回の便を排出する行為）を行う場合には、初回の排泄行為に伴って排出される排便ガスはガス量が多く、さらに、腸内環境をよく反映した臭気性ガスが多く含まれる。このため、本実施形態の排便ガス回収システム１では、１回の排便時における初回の排泄行為に伴う排便ガスを回収する。さらに、成分分析時に周辺環境に残留する残留ガスの影響を考慮できるように、被験者が排便行為を行っていない非排便期間に残留ガスも回収する。
【００９２】
図９に示すように、本実施形態の排便ガス回収システム１による一回の排便行動時における排便ガスの回収においては、回収前環境整備工程Ｓ１と、回収開始準備工程Ｓ２と、回収不可判定工程Ｓ３と、回収工程Ｓ４と、脱臭／記憶工程Ｓ５と、回収後環境整備工程Ｓ６が実行される。
【００９３】
回収前環境整備工程Ｓ１とは、被験者がトイレ空間Ｒに入室する前に行われる工程である。被験者がトイレ空間Ｒに入室したか否かは、入室検知センサ２４（図２）により検知される。なお、回収前環境整備工程Ｓ１では、流路開閉弁５４は開放状態となっており、各回収袋開閉弁５２ａ、５２ｂ、５２ｃは閉鎖状態となっている。
【００９４】
回収前環境整備工程Ｓ１では、便器側制御装置１２はセンサ加温ヒータ４６、ガス吸引装置７、及び便蓋開閉装置３０を回収待機モードに変更して制御する。センサ加温ヒータ４６は、回収待機モードでは、温度センサ２０により測定された温度に基づき、臭気性ガスセンサ１６の触媒の温度が測定を行う際の温度よりも低い温度（例えば、３７０℃）になるように制御される。ガス吸引装置７は、回収待機モードでは、吸引風量が最小限となるように制御される。便蓋開閉装置３０は、回収待機モードでは、便蓋が閉じた状態となるように制御される。
【００９５】
また、回収前環境整備工程Ｓ１において、以下の通り定期洗浄制御を行う。臭気性ガスセンサ１６の触媒は、センサ加温ヒータ４６が回収待機モードであるため、最適温度よりは低くなっているものの、臭気性ガスのガス濃度の測定は可能である。水洗大便器２に付着便等がある等、ボウル２ａ内に異臭ガスの発生源がある場合には、臭気性ガスセンサ１６により測定されるガス濃度が所定値以上となる。便器側制御装置１２は、回収前環境整備工程Ｓ１において、定期的に臭気性ガスセンサ１６により臭気性ガスの検出を行い、臭気性ガスセンサ１６により測定されたガス濃度の値（残留ガス量）が所定値を超えた場合には便器洗浄を実行する。具体的には、便器側制御装置１２は、ノズル駆動装置３２によりノズルから洗浄水を放出してボウル２ａを洗浄する、便器洗浄装置３６により洗浄水タンクに貯留されていた水をボウル２ａ内に放出してボウル２ａ内を強制洗浄する、あるいは、便器除菌装置３８により、水道水から次亜塩素酸水などの除菌水を生成し、生成した除菌水をボウル２ａに吹きかけ、ボウル２ａの殺菌を行う。
【００９６】
また、臭気性ガスセンサ１６により測定されるガス濃度が所定値以上の場合において、便器側制御装置１２がガス吸引装置７を作動させてボウル２ａ内の気体を吸引し、脱臭ユニット８４から排出して、ガス濃度を低下させることもできる。また、便蓋を開放させた状態でガス吸引装置７により気体を吸引することにより、ボウル２ａ内のみではなく、トイレ空間Ｒ内も脱臭することができる。好ましくは、ガス吸引装置７及び脱臭ユニット８４により脱臭する場合には、被験者の排便期間内において回収を行っているときよりも、ガス吸引装置７による気体の吸引量を大きくする。
【００９７】
或いは、トイレ空間Ｒに設けられた換気装置（図示せず）を便器側制御装置１２が制御できるように構成しておき、換気装置を作動させることによりガス濃度を低下させても良い。このようにして、ボウル２ａ内に残留している臭気性ガスの濃度を低下させ、残留している気体に起因する残留ガスノイズの影響が軽減される。
【００９８】
さらに、回収前環境整備工程Ｓ１において、上述した便器及び回収通路の清掃を行っても、臭気性ガスセンサ１６により測定されるガス量が所定値未満とならない場合には、便器側制御装置１２は、送受信機５８によりリモコン８の送受信機６６に清掃ワーニング指令信号を送信する。リモコン８側の送受信機６６が清掃ワーニング指令信号を受信すると、医師や看護婦が所持する送受信機７３に被験者に対してトイレの洗浄をするよう報知する。
【００９９】
また、測定前環境整備工程Ｓ１において、便器側制御装置１２は、定期的に吸引環境クリーニングを行う。具体的には、便器側制御装置１２は、ダクトクリーナー５６を駆動し、ガス吸引装置７の上下方向通路７ａ内に洗浄水を吹き付けて上下方向通路７ａ等を洗浄する。さらに、センサ加温ヒータ４６により水素ガスセンサ１４、臭気性ガスセンサ１６及び二酸化炭素センサ１８を高温に加熱して、これらガスセンサ１４、１６、１８の表面に付着した異臭ガス成分を焼失させる。
【０１００】
便器側制御装置１２は、定期的にクリーニングガス供給装置４８により、回収通路内にクリーニングガスを供給し、回収通路内に残留するガス成分を強制清掃する。また、配管群８０に設けられた通路加温ヒータ５１により、配管群８０を２００℃程度まで加熱し、配管群を加熱清掃する。
【０１０１】
次に、便器側制御装置１２は、入室検知センサ２４により被験者の入室が検知されると、送受信機５８を介してリモコン８側の送受信機６６に回収開始準備工程Ｓ２を開始する旨の信号を送信し、リモコン側制御装置６０と同期しながら回収開始準備工程Ｓ２を行う。なお、入室検知センサ２４により、被験者の入室が検知されてから、着座検知センサ２６により、被験者が大便器２に着座するのを検知する前の期間を排便準備期間という。
【０１０２】
回収開始準備工程Ｓ２では、まず、リモコン８に内蔵された個人認証装置６２により被験者を特定する。具体的には、個人認証装置６２は、被験者が所持するバーコードを読み取り、被験者識別情報を読み取る。そして、リモコン側制御装置６０は、記憶装置６０ｂを参照して、被験者識別情報に対応する排便ガス回収情報を取得する。
【０１０３】
また、回収開始準備工程Ｓ２において、便器側制御装置１２は、センサ加温ヒータ４６、ガス吸引装置７、及び便蓋開閉装置３０を回収モードに制御する。センサ加温ヒータ４６は、回収モードでは、温度センサ２０により測定された温度に基づき、臭気性ガスセンサ１６の触媒の温度が測定に適した一定の温度（４００℃）となるように、制御される。
【０１０４】
また、ガス吸引装置７は、回収モードでは、吸引ファン７ｃの回転数を第１の回転数となるように制御し、吸引風量を排便ガスがボウル２ａから外部に漏れないような第１の風量まで上昇させ、このような風量から変動しないように一定に制御される。また、便蓋開閉装置３０は、回収モードでは、便蓋を開放するように制御される。
【０１０５】
また、回収開始準備工程Ｓ２において、臭気性ガスセンサ１６によって検出された臭気性ガス濃度が高い場合には、便器側制御装置１２は、便器除菌装置３８によりボウル２ａ内の除菌を行う。
【０１０６】
また、便器側制御装置１２は、臭気性ガスセンサ１６による測定値を、排便ガス回収のベースとなるノイズレベルである基準値として設定する。また、便器側制御装置１２は、臭気性ガスセンサ１６による測定値に基づき、回収後に正確な分析が可能な状態であるか否かを判断する。すなわち、便器側制御装置１２は、臭気性ガスセンサ１６の出力に基づき求めた、非排便ガスに含まれる臭気性ガス量が測定可能閾値以上である場合には、正確な分析が不可能であると判定する。そして、便器側制御装置１２は、正確な分析が不可能であると判定した場合には、以下に説明する非排便ガス回収制御を行わず、さらに、回収工程Ｓ４において排便ガスの回収制御を行わない。
【０１０７】
また、排便準備期間中における、着座検知センサ２６により被験者が着座するのを検知する前において、基準値を設定するのと同時に、又は基準値の設定後に便器側制御装置１２は、ボウル２ａ内の残留ガス（非排便ガス）を回収袋８２ａに回収する非排便ガス回収制御を行う。なお、基準値が低い場合には、トイレ空間やボウル内に臭気性ガスがほとんど存在しない。この場合には、トイレ空間やボウル内に存在する臭気性ガスは診断にはほとんど影響を与えないと考えられる。そこで、本実施形態では、この非排便ガス回収制御は、臭気性ガスセンサ１６の出力に基づき求めた、非排便ガスに含まれる臭気性ガスの量が所定値以下の場合には行わず、臭気性ガスセンサ１６により検出された臭気性ガスの測定値が所定値よりも大きいと判定された場合のみに行う。
【０１０８】
なお、この非排便ガス回収制御が完了する前において、被験者に対する報知装置である表示装置６８又はスピーカー７０により非排便ガス回収制御が完了するまで着座せずに、または、排便行為を行わないで待機するように報知するとよい。
【０１０９】
なお、本実施形態では、この非排便ガス回収制御は、被験者位置確認手段としての入室検知センサ２４により被験者が入室したのを検知した後に行っているが、これに限らず、被験者位置確認手段としては、上述したように、大便器から所定の距離への被験者の入退を検知するような赤外線センサ、被験者により便蓋が開閉されたことを検知する便蓋開閉装置３０、個人認証装置６２、被験者が大便器に近接したことを検知するためのスイッチ等を用いてもよい。
【０１１０】
次に、便器側制御装置１２は、着座検知センサ２６により被験者が着座したことが検知されると、送受信機５８を介してリモコン８に回収不可判定工程Ｓ３を開始する旨の信号を送信し、リモコン側制御装置６０と同期しながら回収不可判定工程Ｓ３を行う。なお、着座検知センサ２６が検出と非検出とを所定回繰り返すような場合は、被験者による便座の清掃の影響であるため、このような場合はＳ１に戻ることが望ましい。
【０１１１】
回収不可判定工程Ｓ３では、便器側制御装置１２が臭気性ガスセンサ１６により測定された測定値に基づき、被験者に起因するノイズレベルの判定である被験者付着異臭ノイズ判定を行う。被験者に起因する被験者付着ノイズレベルが所定値以上の場合において、便器側制御装置１２は、局部洗浄装置であるノズル駆動装置３２に信号を送ってこれを作動させ、被験者のおしり洗浄を実行する。または、リモコン側制御装置６０は、被験者がおしり洗浄を実行するよう、表示装置６８又はスピーカー７０により被験者に報知する。このように被験者のおしり洗浄等を行っても、臭気性ガスセンサ１６により測定された測定値が十分低下しない場合には、便器側制御装置１２はガス回収を中止し、その旨を表示装置６８又はスピーカー７０により被験者に報知する。
【０１１２】
次に、便器側制御装置１２は、後に詳述するように、着座検知センサ２６により被験者が着座したのが検知された後において、臭気性ガスセンサ１６による測定値が、基準値から大きく立ち上がる（すなわち、基準値から所定量以上、増加する）と、被験者が排泄行為を行ったと判定する。このように被験者が排泄行為を行ったと判定すると、便器側制御装置１２は、回収工程Ｓ４を行う。なお、ここでいう排泄行為にはおならも含まれる。
【０１１３】
回収工程Ｓ４では、まず、回収開始準備工程Ｓ２において、取得した排便ガス回収情報の排便ガスを回収した日時に関する回収日時情報に基づき、排便ガスの回収の要否を判定する。癌の特徴として長期間にわたって徐々に病状が進行するということが挙げられる。このため、被験者が一日に複数回排便行為を行う場合であっても必ずしも毎回排便ガスを回収する必要はない。さらに、一日に複数回排便行為を行う場合には、初回の排便行為時には多量の臭気性ガスが含まれた排便ガスが排泄されるものの、二回目以降の排便行為時に排出される排便ガスにはあまり臭気性ガスは含まれておらず、癌の判定には適していない。このため、便器側制御装置１２が回収日時情報に基づき、一日の２回目以降の排便行為であると判定した場合には、排便ガスの回収を行わない。なお、排便ガスの回収の要否は一日における排便ガスの回収回数以外に、前回の排便ガスの回収からの期間に基づき決定してもよい。
【０１１４】
そして、排便ガスの回収が必要と判定された場合には、水素ガスセンサ１４、臭気性ガスセンサ１６、及び、二酸化炭素センサ１８により、排便ガスが放出されたことを検知すると、排出される排便ガスの初期部分を回収袋８２内に回収する。そして、便器側制御装置１２は、このように排便ガスのうち大腸末端部に溜まったガスを含む初期部分を回収した後は、排便ガスの回収を禁止する回収禁止制御を実施する。
【０１１５】
次に、便器側制御装置１２は、排便ガスの回収が完了した場合、又は、着座検知センサ２６により被験者が離座したことが検知した場合には、脱臭／記憶工程Ｓ５を開始する。具体的には、便器側制御装置１２は、ガス吸引装置７を作動させてボウル２ａ内の気体を吸引し、脱臭ユニット８４から排出する。これにより、ボウル２ａ及びトイレ空間Ｒ内の空気は、脱臭ユニット８４により脱臭された上でトイレ空間Ｒ内に戻される。この際、より脱臭性能を高めるため、吸引ファン７ｃは、回転数が第１の回転数よりも大きな第２の回転数となるように制御し、吸引風量を第２の風量まで上昇させ、このような風量から変動しないように一定に制御される。
【０１１６】
また、便器側制御装置１２は、記憶装置１２ｂに回収情報を記憶する。具体的には、個人認証装置６２により取得された被験者識別情報と、時刻取得装置７２により取得された排便ガスを回収した日時に関する回収日時情報と、回収した回収袋８２を識別する回収袋識別情報と、回収した気体が残留ガス（非排便ガス）であるか、排便ガスであるか、おならであるかに関するガス情報とを対応づけて記憶する。
【０１１７】
被験者は離座後、大便器のボウルの排水を行い、トイレ室から退室する。なお、ボウルの排水は、入室検知センサ２４により被験者が退出したのを検知した後、自動的に行ってもよい。便器側制御装置１２は、入室検知センサ２４により被験者が退室したのが検知された後、回収後環境整備工程Ｓ６を行う。なお、本実施形態では、回収後環境整備工程Ｓ６は、被験者位置確認手段としての入室検知センサ２４により被験者が退出したのを検知した後に行っているが、これに限らず、被験者位置確認手段としては、上述したように、大便器から所定の距離への被験者の入退を検知するような赤外線センサ、被験者により便蓋が開閉されたことを検知する便蓋開閉装置３０、個人認証装置６２、被験者が大便器から近接及び離間したことを検知するためのスイッチ等を用いてもよい。
【０１１８】
まず、回収後環境整備工程Ｓ６において、排便ガス又は残留ガスを回収した回収袋８２の交換を行う。図１０は回収袋８２の交換方法を説明するための図である。図１０（Ａ）に示すように、回収袋８２を回収するためには、まず、回収袋８２の回収口８２Ｂ内に配置されていた直管８３を回収袋本体８２Ａ内へ移動させる。そして、図１０（Ｂ）に示すように、密閉クリップ１０６を回収袋８２により回収口８２Ｂを前後から挟み込み、回収口８２Ｂを封止する。次に、図１０（Ｃ）に示すように、回収袋８２の回収口８２Ｂを軟質配管ユニット８０ｃの直管８０ｃｂに固定するパイプバンド８５を取り外す。なお、この際、回収袋開閉弁５２は閉鎖状態となっている。次に、図１０（Ｄ）に示すように、回収袋８２を上方に向かって持ち上げ、回収口８２Ｂを軟質配管ユニット８０ｃの直管８０ｃｂから離脱させる。これにより、排便ガス又は残留ガスを回収した回収袋８２を、回収口８２Ｂが密閉クリップ１０６により封止された状態で取り外すことができる。
【０１１９】
次に、新たな回収袋８２を軟質配管ユニット８０ｃの直管８０ｃｂに取り付ける。回収袋８２の取付は、まず、十分に内部の気体を排気した回収袋８２内に、回収口８２Ｂから直管８３を挿入する。次に、回収袋８２内に可能な限り空気が入らないようにしながら、回収袋８２の回収口８２Ｂに軟質配管ユニット８０ｃの直管８０ｃｂを挿入する。そして、回収口８２Ｂの外周からパイプバンド８５を取り付け、回収袋８２を軟質配管ユニット８０ｃの直管８０ｃｂに固定する。以上により、回収袋８２の交換が完了する。
【０１２０】
便器側制御装置１２は、回収後環境整備工程Ｓ６において、臭気性ガスセンサ１６によりガス濃度を測定する。そして、便器側制御装置１２は、排便期間終了後所定時間経過しても臭気性ガスセンサ１６により測定された残留ガスのガス濃度が所定の値よりも大きい場合には、残留ガスを低減または除去する残留ガス除去制御を実施する。
【０１２１】
具体的には、まず、便器側制御装置１２は、残留ガス除去制御として、便器洗浄装置３６により洗浄水タンクに貯留されていた洗浄水をボウル２ａ内に放出して、ボウル２ａ内を自動制御により強制洗浄する。また、残留ガス除去制御として、便器除菌装置３８により、水道水から次亜塩素酸水などの除菌水を生成し、生成した除菌水をボウル２ａに噴霧し、ボウル２ａの殺菌を行う。
【０１２２】
また、便器側制御装置１２は、回収後環境整備工程Ｓ６において、残留ガス除去制御として、配管群８０に設けられた通路加温ヒータ５１により、配管群８０を２００℃程度まで加熱して加熱清掃する。
【０１２３】
また、便器側制御装置１２は、臭気性ガスセンサ１６により測定されるガス濃度が所定値以上の場合において、残留ガス除去制御として、便器側制御装置１２がガス吸引装置７を作動させてボウル２ａ内の気体を吸引し、脱臭ユニット８４から排出して、ガス濃度を低下させることもできる。また、例えば、便器側制御装置１２を、トイレ室に設けられた換気扇と連動するように構成しておくことにより、残留ガス除去制御として、トイレ室の換気を実施してもよい。
【０１２４】
また、便器側制御装置１２は、回収後環境整備工程Ｓ６において、残留ガス除去制御として、クリーニングガス供給装置４８により、回収通路内にクリーニングガスを供給し、回収通路内に残留するガス成分を強制清掃する。
【０１２５】
好ましくは、回収後環境整備工程Ｓ６において残留ガス除去制御として、自動的に実行される便器洗浄は、被験者がリモコン８の洗浄スイッチ（図示せず）を操作することにより実行される通常の便器洗浄よりも、洗浄力を高く設定しておく。具体的には、回収後環境整備工程Ｓ６における便器洗浄は、ボウル２ａへの洗浄水の吐出回数を多く設定しておき、或いは、洗浄水の流速を高く設定しておき、通常の便器洗浄よりも多い水量で実施するのがよい。また、回収後環境整備工程Ｓ６におけるボウル２ａの殺菌は、被験者がリモコン８の殺菌スイッチ（図示せず）を操作することにより実行される通常のボウルの殺菌よりも、殺菌力を強く設定しておく。具体的には、回収後環境整備工程Ｓ６におけるボウルの殺菌では、通常の殺菌よりも高濃度の殺菌水が噴霧され、又は多量の殺菌水が噴霧されるように設定する。
【０１２６】
さらに、排便期間終了後所定時間経過しても臭気性ガスセンサ１６により測定されたガス濃度が所定の値よりも大きい場合には、上下方向通路７ａ内に汚れがあると判断して、残留ガス除去制御として、ダクトクリーナー５６を作動させる。ダクトクリーナー５６は、吸引装置７に取り付けられた上下方向通路７ａ内を、水道水を電気分解した次亜塩素酸等により洗浄する。
【０１２７】
また、以上の洗浄、殺菌処理を実行しても依然として臭気性ガスセンサ１６により測定されたガス濃度が十分に低下せず、所定の値以上の場合には、残留ガス除去制御として、リモコン８の送受信機６６により医師又は看護婦が所持する送受信機７３に水洗大便器２の清掃を促すメッセージを報知する。なお、この送受信機６６への報知は、必ずしも、洗浄、殺菌処理を実施した後に行う必要はなく、臭気性ガスセンサ１６により測定されたガス濃度が所定の値よりも大きい場合にすぐに実施してもよい。
【０１２８】
このようにして、ダクトクリーナー５６による洗浄及び医師又は看護婦による水洗大便器２の洗浄を行っても、依然として臭気性ガスセンサ１６により測定されたガス濃度が十分に低下しない場合には、配管群８０内に臭気性ガスが付着している可能性が考えられる。このような場合には、配管群８０を構成する直管８０ａと、複数のＴ字型の分岐管８０ｂと、複数の軟質配管ユニット８０ｃとを交換する。具体的には、直管８０ａ、分岐管８０ｂ、及び軟質配管ユニット８０ｃを接続しているパイプバンド等の接続器具を取り外す。そして、直管８０ａ、分岐管８０ｂ、及び軟質配管ユニット８０ｃをフレーム８６から取り外す。この際、回収袋開閉弁５２、流路開閉弁５４、及び脱臭ユニット８４はフレームに固定されたままである。そして、新たな直管８０ａ、分岐管８０ｂ、及び軟質配管ユニット８０ｃを配置し、隣接する配管をパイプバンド等の接続器具で連結する。このようにして、配管群８０を構成する直管８０ａ、分岐管８０ｂ、及び軟質配管ユニット８０ｃを交換することができる。なお、この配管の交換は、必ずしも、全てを一度に実施する必要はなく、回収袋開閉弁５２及び流路開閉弁５４の近傍の軟質配管ユニット８０ｃや、屈曲部の配管のみを優先的に交換してもよい。
【０１２９】
そして、便器側制御装置１２は、回収後環境整備工程Ｓ６において、センサ加温ヒータ４６、吸引装置７、及び便蓋開閉装置３０を回収待機モードに変更して、一回の回収を終了する。
【０１３０】
次に、図１１を参照して、本実施形態の排便ガス回収システム１に備えられた各センサによって検出される検出値と、それに基づく排便ガスの回収の流れを説明する。図１１は、被験者の１回の排便行動における、排便ガス回収システム１に備えられた各センサによる検出信号及び制御弁の駆動を模式的に示したグラフである。図１１には、上段から順に、水素ガスセンサ１４、二酸化炭素センサ１８、臭気性ガスセンサ１６、湿度センサ２２、温度センサ２０、着座検知センサ２６、入室検知センサ２４、及び排便・排尿検知センサによる検出信号の波形を示している。さらに、その下には回収装置１０の回収袋開閉弁５２ａ、５２ｂ、５２ｃ及び流路開閉弁５４の駆動を示す。
【０１３１】
まず、図１１の時刻ｔ1において、入室検知センサ２４は、被験者の入室を検知する。便器側制御装置１２は、入室検知センサ２４によりトイレ空間Ｒ内に被験者が入出する前の状態（時刻ｔ0〜ｔ1）には、上述の通り回収前環境整備工程Ｓ１にあり、臭気性ガスセンサ１６により臭気性ガスのガス量を測定している。この状態においても、芳香剤や水洗大便器２のボウル２ａに付着している残留便の影響により、臭気性ガスセンサ１６は反応し、或る程度の検出信号を出力している。なお、入室検知センサ２４が入室を検知する前の状態では、臭気性ガスセンサ１６やガス吸引装置７は節電状態となっており、臭気性ガスセンサ１６の触媒を加熱するためのセンサ加温ヒータ４６の温度が低めに設定され、吸引ファン７ｃの回転数が抑えられて通過する流量も低くなっている。
【０１３２】
次に、時刻ｔ1において、入室検知センサ２４により被験者が入室したことが検知されると、便器側制御装置１２は回収開始準備工程Ｓ２へと移行し、臭気性ガスセンサ１６及びガス吸引装置７が起動状態となる。これにより、臭気性ガスセンサ１６のセンサ加温ヒータ４６の温度が上昇するとともに、ガス吸引装置７の吸引ファン７ｃの回転数が第１の回転数まで上がり、所定の流量のガスを吸引するようになる。これにより、温度センサ２０による検出値が一旦大きく上昇した後、適正温度に収束し、一定になる（図１１の時刻ｔ1〜）。なお、本明細書においては、入室検知センサ２４が被験者のトイレ空間Ｒへの入室を検知している期間（図１１の時刻ｔ1〜ｔ13）を一回の「排便行動」と呼んでいる。また、被験者が入室すると、臭気性ガスセンサ１６により検出される検出信号が上昇する。これは、臭気性ガスセンサ１６が、被験者の体臭や、使用している香水、整髪料等に反応するためである。即ち、被験者がトイレ空間Ｒに入室する前の残留ガスノイズからの増加分が、被験者に起因する被験者ノイズである。便器側制御装置１２は、ボウル２ａ内に残留している気体に起因する残留ガスノイズ、及び被験者に起因する被験者ノイズを検出する。
【０１３３】
また、臭気性ガスセンサ１６は、便器内に排出された排便ガス中にｐｐｂオーダーで含まれる極めて微量の臭気性ガスを検出することを目的として、極めて高感度に設定されているため、人間の嗅覚で感じ取ることができない程度の臭気にも反応する。そして、入室検知センサ２４により被験者が入室したことが検知された後、臭気性ガスセンサ１６の検出値がある程度安定すると、時刻ｔ2において、便器側制御装置１２はその検出値を残留ガスの基準値として設定する。
【０１３４】
また、時刻ｔ2において、便器側制御装置１２はその検出値を残留ガスの基準値として設定すると同時に、上述の通り残留ガス（非排便ガス）の回収を行う。具体的には、時刻ｔ2において、流路開閉弁５４を閉鎖し、流路開閉弁５４の閉鎖から少し時間を空けて回収袋開閉弁５２ａを開放する。これにより、ボウル２ａ内の気体が回収袋８２ａ内に回収される。そして、回収袋開閉弁５２ａの開放から回収袋８２ａ内に充分な量の気体が回収されるような所定の時間が経過したら、時刻ｔ3において回収袋開閉弁５２ａを閉鎖する。また、回収袋開閉弁５２ａの閉鎖から少し時間を空けて流路開閉弁５４を開放する。これにより、回収袋８２ａにボウル２ａ内の残留ガスが回収される。なお、この非排便ガスを回収する期間は、後述する排便ガスを回収する期間と等しくしてもよいが、被験者ができるだけ早く排便行為を行えるように、排便ガスを回収する期間に比べて短くするのが好ましい。
【０１３５】
次に、図１１の時刻ｔ4において、着座検知センサ２６により被験者が便座４に着座したことが検知されると、この時点が被験者の１回の排便期間の開始時点として設定される。なお、本明細書においては、着座検知センサ２６が被験者の便座４への着座を検知している期間（図１１の時刻ｔ4〜ｔ12）を一回の「排便期間」と呼んでいる。
【０１３６】
そして、上述の通り、図１１の時刻ｔ4において、便器側制御装置１２は着座検知センサ２６により被験者が着座したことが検知されると、リモコン側制御装置６０と同期しながら回収不可判定工程Ｓ３を行う。
【０１３７】
次に、時刻ｔ5〜ｔ6の間で湿度センサ２２の検出値が上昇し、排便・排尿検知センサ２８が検知している。これは、被験者の放尿を検知したものであり、臭気性ガスセンサ１６の検出値は殆ど変化していないため、便器側制御装置１２は、排泄行為は行われていないと判断する。次いで、時刻ｔ7において水素ガスセンサ１４、二酸化炭素センサ１８及び臭気性ガスセンサ１６の検出値が急激に立ち上がっている。このように、被験者の着座後の排便期間において、ガスセンサ１４、１６、１８の検出値が残留ガスの基準値から所定の閾値以上、急激に立ち上がると、便器側制御装置１２は、初回の排泄行為が行われたと判断する。
【０１３８】
時刻ｔ7において水素ガスセンサ１４、二酸化炭素センサ１８及び臭気性ガスセンサ１６の検出値が急激に立ち上がっており、排便・排尿検知センサ２８も検知している。このように、各ガスセンサ１４、１６、１８の検出値が、基準値から所定の量以上立ち上がり、排便・排尿検知センサ２８が検知した場合には、便器側制御装置１２は大便の排泄行為が行われたと判定し、排便ガスの回収を行う。なお、分析回路による排便ガスの回収の判定は、排便ガスがガスセンサ１４、１６、１８を通過してから、回収袋８２ｂの近傍、より詳細には回収袋８２ｃの下方に位置する分岐管８０ｂに到達するよりも早い時点で判定する。
【０１３９】
具体的には、便器側制御装置１２は、時刻ｔ7から、所定の時間後である時刻ｔ8において、流路開閉弁５４を閉鎖し、流路開閉弁５４の閉鎖から少し時間を空けて回収袋開閉弁５２ｂを開放する。これにより、ガス吸引装置７によりボウル２ａから吸引された気体が回収袋８２ｂ内に回収される。そして、回収袋開閉弁５２ｂの開放から回収袋８２ｂ内に所定の量の排便ガスが回収されるような予め決められた所定の時間が経過したら、時刻ｔ9において回収袋開閉弁５２ｂを閉鎖する。また、回収袋開閉弁５２ｂの閉鎖から少し時間をあけて流路開閉弁５４を開放する。これにより、ガス吸引装置７により吸引された気体は、脱臭ユニット８４により脱臭されてトイレ空間Ｒ内に排気される。なお、排便ガスの回収の際に、便器側制御装置１２は、個人認証装置６２により取得された被験者の識別情報に基づき同じ日に同一の被験者により何れかの回収袋に排便ガスの回収が行われていたと判定しても、すでに排便ガスが回収された回収袋に追加して排便ガスを回収することは行わず、新たな（排便ガスを未回収の）回収袋に排便ガスを回収する。
【０１４０】
ここで、ガスセンサ１４、１６、１８の検出値の急増から回収袋開閉弁５２ｂを開放するまでの期間（ｔ7〜ｔ8）の長さは、回収通路のガスセンサ１４、１６、１８から回収袋８２までの距離と、ガス吸引装置７の風量とに基づき決定されている。具体的には、期間（ｔ7〜ｔ8）の長さは、ガスセンサ１４、１６、１８を通過した排泄された排便ガスが、回収袋開閉弁５２ｂまで到達するまでの時間よりもわずかに短い時間とされている。このため、ガスセンサ１４、１６、１８を通過した排便ガスが、回収袋８２ｂ、より詳細には回収袋８２ｂの下方に位置する分岐管８０ｂに到達するよりも早い時点で回収袋開閉弁５２ｂ及び流路開閉弁５４は気体を回収する状態に切り替えられる。したがって、排便ガスに加えて、回収袋８２ｂに回収された気体には、所定量の排便ガスが排出されるよりも前にガス吸引装置７が吸引した気体と、回収袋８２ｂに回収されたガスには、排便ガスのうちの被験者の大腸末端に溜まった初期部分のガスとが含まれる。なお、他の回収袋８２ａ、８２ｃに気体を回収する場合にガスセンサ１４、１６、１８の検出値の急増から回収袋開閉弁５２ａ、５２ｃを開放するまでの期間も同様に決定されている。
【０１４１】
このようにして、被験者の一回の排便行為中に一度初期部分のガスの回収が行われると、便器側制御装置１２は排便ガスの回収を行わない回収禁止制御を実施する。具体的には、初回の排便ガスの回収の後、時刻ｔ10において、水素ガスセンサ１４、二酸化炭素センサ１８及び臭気性ガスセンサ１６の検出値が急激に立ち上がっている。また、排便・排尿検知センサ２８が排便を検知している。このように、ガスセンサ１４、１６、１８の検出値が残留ガスの基準値から所定の閾値以上、急激に立ち上がると、便器側制御装置１２は、２回目の大便の排泄行為が行われたと判断する。しかしながら、便器側制御装置１２は、上述の通り２回目の大便の排泄行為を検知しても、２回目の大便の排泄行為にともなう排便ガスの回収は不要であると判断し、回収袋開閉弁５２ａ、５２ｂ、５２ｃ及び流路開閉弁５４の切替えは行わない。なお、便器側制御装置１２は、３回目以降の大便の排泄行為を検知した場合も、２回目同様に排便ガスの回収は不要であると判定する。
【０１４２】
次に、初回の排便ガスの回収の後、時刻ｔ11において、水素ガスセンサ１４、二酸化炭素センサ１８及び臭気性ガスセンサ１６の検出値が急激に立ち上がっている。ここで、時刻ｔ11において、排便・排尿検知センサ２８は排便及び排尿を検知していない。このような場合には、便器側制御装置１２は、便器側制御装置１２のＣＰＵ１２ａに構成された分析回路により、被験者がおならを排泄したと判定する。なお、このようにおならが放出されたと判定された場合には、排便行為中の初期部分のガスである場合には回収を実施し、本実施形態にようにすでに回収を行っている場合には、回収制御が禁止される。
【０１４３】
次いで、図１１の時刻ｔ12において着座検知センサ２６により被験者の離座が検知され１回の排便期間が終了し、便器側制御装置１２は上述したように、脱臭／記憶工程を行う。そして、時刻ｔ13において入室検知センサ２４により被験者の退室が検知されると、１回の排便行動が終了し、便器側制御装置１２は回収後環境整備工程を行い、一回の回収を終了する。
【０１４４】
ここで、回収制御及び回収禁止制御についてより詳細に説明する。図１２は、回収制御及び回収禁止制御について説明するための図である。図１２において横軸は時間を示し、（ａ）〜（ｃ）は臭気性ガスセンサ１６の出力を示す。また、図１２には、臭気性ガスセンサ１６の出力に合わせて回収袋の開閉弁の開閉制御も示している。図１１を参照して説明したが、図１２（ａ）に示すように、時刻ｔAにおいて臭気性ガスセンサ１６の検出値が基準値から大きく増加した場合には、回収袋開閉弁５２ｂ及び流路開閉弁５４を回収袋に排便ガスの初期部分を回収するように所定の時間にわたり回収制御を実施する。排便ガスの初期部分を回収するためには、回収制御は毎回一定の時間、例えば３０秒程度（２０〜４０秒）行うことが望ましい。そして、時刻ｔBにおいて回収制御が完了すると、回収禁止制御を実施する。回収禁止制御中には、臭気性ガスセンサ１６の出力が増加しても、排便ガスの回収は行わない。
【０１４５】
また、図１２（ｂ）に示すように、排便期間内において、時刻ｔAにおいて最初に検出された臭気性ガスセンサ１６の出力の増加量が小さい場合であっても、排便ガスの初期部分を回収するように所定の時間にわたり回収制御を実施する。このように臭気性ガスセンサ１６の出力が小さい場合には、回収袋内に回収された排便ガスの量が少ない可能性があるが、一度回収制御を行った後は時刻ｔBにおいて回収禁止制御を実施し、再度の回収は行わない。
【０１４６】
また、図１２（ｃ）に示すように、時刻ｔAにおいて臭気性ガスセンサ１６の出力が増加すると所定の時間にわたり回収制御を実施するが、この回収制御中に再度臭気性ガスセンサ１６の出力が増加した場合には、回収制御を停止することなく続行する。そして、時刻ｔBにおいて回収制御が完了すると、回収禁止制御を実施する。
【０１４７】
上述のようにして回収袋８２に回収された気体はガスクロマトグラフィーなどによるガス分析装置により成分分析が行われる。以下、成分分析の流れを説明する。図１３は回収袋に回収された気体を成分分析する流れを説明するための図である。まず、排便ガス回収システム１から回収された回収袋８２は、回収口８２Ｂが密閉クリップ１０６で封止された状態でガス分析装置のある場所に搬送される。また、記憶装置６０ｂに記憶されている被験者識別情報、回収日時情報、及びガス情報がガス分析装置１１２に送られる。
【０１４８】
次に、図１３（Ａ）に示すように、回収袋８２のコック付ノズル８２Ｃを、接続管１０８を介してサンプル袋１１０のコック付ノズル１１０Ａに接続する。そして、回収袋８２及びサンプル袋１１０のコック付ノズル８２Ｃ及びサンプル袋１１０のコック付ノズル１１０Ａを開放し、回収袋８２内の気体をサンプル袋１１０へ移動させる。そして、サンプル袋１１０のコック付ノズル１１０Ａを閉鎖し、サンプル袋１１０を接続管１０８から取り外す。
【０１４９】
次に、サンプル袋１１０をガス分析装置１１２に取り付ける。ガス分析装置１１２には、キャリヤガスボンベ１１４及び分析結果表示機１１６が接続されている。ガス分析装置１１２は、ガスクロマトグラフィーによりサンプル袋１１０内の気体に含まれる各臭気性ガスのガス量、及び各健康系ガスのガス量を分析し、分析結果が分析結果表示機１１６に表示される。
【０１５０】
なお、残留ガスについても回収袋に回収した場合には、回収した残留ガスについても含まれる成分を分析し、排便ガスの分析結果から残留ガス等の影響を除去する。図１４は、排便ガスの分析結果から残留ガス等の影響を除去する方法を説明するための図である。図１４に示すように、排便ガス回収制御により捕集されたガスには、主に、分析対象となる排便ガスと、被験者から発生するガス（被験者付着異臭ガス成分）と、トイレ空間やボウル内の残留ガスとが含まれる。これに対して、非排便ガス回収制御により捕集されたガスには、被験者から発生するガスと、残留ガスとが含まれる。したがって、排便ガス回収制御により捕集されたガスに含まれる各種ガスの成分から、非排便ガス回収制御により捕集されたガスに含まれる各種ガスの成分の差分をとることにより、分析対象となる排便ガスに含まれる各種ガスの成分の量（割合）を求めることができる。なお、排便ガス回収制御により捕集されたガスと非排便ガス回収制御により捕集されたガスとは回収されたガス量が違っても、非排便ガス回収制御により捕集されたガスの被験者から発生するガス、及び、残留ガスの濃度から、排便ガス回収制御により捕集されたガスに含まれる被験者から発生するガス、及び、残留ガスのガス量は推定できる。このため、非排便ガス回収制御により捕集するガス量は、排便ガス回収制御により捕集するガス量と等しくする必要はない。
【０１５１】
図１５は、分析結果表示機に表示される分析結果の一例を示す。ガス分析装置１１２には、予め診断テーブルが記憶されている。この診断テーブルは、上述した発明者らが行った実験に基づき決定されたテーブルであり、健康系ガスのガス量と、臭気性ガスのガス量との関係に対応して、疾病状態が関連づけられている。具体的には、診断テーブルでは、健康系ガスのガス量と臭気性ガスのガス量との関係に応じて、「大腸癌懸念大」、「早期大腸癌懸念大」、「早期大腸癌疑い」、「体調不全レベル３」、「体調不全レベル２」、「体調不全レベル１」、「健康状態」、「腸内不全（下痢）」、及び、「誤測定疑い」の領域が設定されている。このように設定されたサーバー側の診断テーブル上に、被験者の過去の分析結果が経時的にプロットされる。医師は、プロット点の位置に基づき「大腸癌懸念大」、「早期大腸癌懸念大」、「早期大腸癌疑い」等の癌の疾病に関する判定が行われる。医師は、示されたプロット点に基づき、被験者に対して、その体調の状態を告げることができる。
【０１５２】
なお、図１１に示した例では、残留ガスの基準値は一定であったが、基準値が一定でない場合においても臭気性ガスの排出量を推定することができる。図１６は、臭気性ガスセンサにより検出された検出値が増加傾向にある場合における基準値の設定方法を説明するための図である。同図に示すように、例えば、臭気性ガスセンサ１６により検出された検出値が増加傾向にある場合には、排泄行為の開始前の臭気性ガスセンサ１６により検出された検出値の増加の変化率が、排泄行為の前後にも続くものとして引いた補助線Ａを基準値とする。この補助線Ａから臭気性ガスセンサ１６による検出値が所定値以上増加した時点を１回の排泄行為が開始された時点と判断して、臭気性ガスの量を推定することができる。
【０１５３】
なお、図１を参照して説明した第１実施形態の排便ガス回収システム１は、便座側装置６が、トイレ空間Ｒに設置された水洗大便器２の上に載置した便座４の内部に組み込まれている構成について説明したが、本発明の排便ガス回収システムにおいて便座側装置は、必ずしも便座の内部に組み込む必要はない。
【０１５４】
図１７（ａ）は、第２実施形態による排便ガス回収システムにおける便座側装置をトイレ空間に設置された水洗大便器に取り付けた状態を示す図であり、同図（ｂ）は、同図（ａ）に示す便座側装置を示す斜視図である。なお、第２実施形態では、第１実施形態と比較して便座側装置の構成のみが相違している。図１７（ａ）に示すように、本実施形態の排便ガス回収システム２０１は、第１実施形態と同様の構成であるが、便座側装置２０６の構成のみが異なっている。本実施形態の便座側装置２０６は便座２０４とは別体に構成されている。
【０１５５】
図１７（ｂ）に示すように、便座側装置２０６は、装置本体２０８と、装置本体２０８の上面に横方向に延びるように取り付けられ、先端部が下方に向けて屈曲されたダクト２０７ａと、装置本体２０８に接続された電源コード２１０とを含む。図１７（ａ）に示すように、便座側装置２０６は、ダクト２０７ａの先端部を水洗大便器２のボウルの側壁に引っかけることにより、ダクト２０７ａの先端がボウル内に位置した状態で固定されている。また、装置本体２０８の側面には接続配管２１２の一端が接続されており、接続配管２１２の他端は、第１実施形態で説明した回収装置１０の配管群８０に接続されている。
【０１５６】
装置本体２０８は、第１実施形態と同様に、ＣＰＵ及び記憶装置により構成された便器側制御装置と、水素ガスセンサと、臭気性ガスセンサと、二酸化炭素センサと、湿度センサと、温度センサと、入室検知センサと、着座検知センサと、排便・排尿検知センサと、ガス吸引装置と、センサ加温ヒータと、クリーニングガス供給装置と、ダクトクリーナーと、送受信機と、を備える。また、ダクト２０７ａ内には、水素ガスセンサと、臭気性ガスセンサと、二酸化炭素センサと、湿度センサと、温度センサと、センサ加温ヒータと、ファンとが設けられている。ダクト２０７ａ内のセンサの配置については、第１実施形態と同様であるので説明を省略する。本実施形態の便器側制御装置は、回収装置１０の回収袋開閉弁５２、流路開閉弁５４、及び、配管群８０の加熱装置に有線又は無線接続されており、これら装置を制御することができる。このような構成により、本実施形態の排便ガス回収システムによっても、第１実施形態と同様に排便ガスを回収することができる。
【０１５７】
なお、本実施形態の便座側装置２０６とともに使用される便座２０４としては、便蓋開閉装置と、ノズル駆動装置と、ノズル洗浄装置と、便器洗浄装置と、便器除菌装置とを備え、便座側装置２０６と通信可能な洗浄機能付き便座を用いることが望ましい。このような便座とともに便座側装置２０６を用いることにより、異臭ガスを検知した場合の各種洗浄、除菌作業を行うことが可能になる。
【０１５８】
以下、本発明の第３実施形態の排便ガス回収システムについて説明する。なお、第１実施形態と同様の構成については、同じ符号を付して詳細な説明は省略する。
図１８は、本発明の第３実施形態の排便ガス回収システムを示し、（ａ）は便器装置と回収装置とが接続された状態を示す斜視図であり、（ｂ）は便器装置と回収装置との接続が解除された状態を示す斜視図である。本実施形態の排便ガス回収システムは、例えば、大腸癌患者の病室や、病室に付属するトイレ空間において用いられるものである。
【０１５９】
図１８に示すように、第３実施形態の排便ガス回収システム３０１は、便器装置３０２と、回収装置３１０とを備える。便器装置３０２の側部には、ガス吸引装置３０７により吸引されたガスを排出するための排出口３０２ｂが設けられており、回収装置３１０から延びる接続配管３７５の先端が便器装置３０２の排出口３０２ｂに接続されている。接続配管３７５の便器装置３０２側の端部近傍にはガス検出装置３０９が設けられている。また、便器装置３０２には例えば室内のコンセント等から電力が供給されている。接続配管３７５には回収装置３１０の電源コードが一体に構成され、内蔵されており、接続配管３７５を便器装置３０２に接続することにより、回収装置３１０に便器装置３０２から電源コードを介して電力が供給される。なお、本実施形態では、図１８に示すように、ガス吸引装置３０７は接続配管３７５の便器装置３０２と回収装置３１０との間の部位に設けられているが、これに限らず、接続配管３７５の先端に設け、便器装置３０２の排出口３０２ｂ内に位置するように構成してもよい。
【０１６０】
便器装置３０２は、局部洗浄機能を有する大便器からなり、ガス吸引装置３０７が組み込まれている。また、ガス吸引装置３０７等の便器装置３０２に組み込まれた各装置は、便座側に内蔵された便器側制御装置３１２（図１９）によって制御される。なお、便器装置３０２は、底部に車輪が取り付けられており、搬送可能であることが好ましい。
【０１６１】
図１９は、第３実施形態の排便ガス回収システムの構成を示すブロック図である。図１９に示すように、便器装置３０２は、ＣＰＵ３１２ａを有する便器側制御装置３１２を備えている。この便器装置３０２は、入室検知センサ２４と、着座検知センサ２６と、排便・排尿検知センサ２８と、便蓋開閉装置３０と、ノズル駆動装置３２と、ノズル洗浄装置３４と、ガス吸引装置３０７と、便器洗浄装置３６と、便器除菌装置３８と、クリーニングガス供給装置４８と、ダクトクリーナー５６と、送受信機３５８に接続されている。送受信機３５８は、第１実施形態のリモコン８の送受信機６６と同様に、医師又は看護婦が所持する送受信機７３と通信可能である。
【０１６２】
図２０は、第３実施形態の排便ガス回収システムにおけるガス吸引装置３０７の構成を示す図である。ガス吸引装置３０７は、下方に向けられ、ボウル３０２ａの背面側に開口する上下方向通路３０７ａと、上下方向通路３０７ａの開口から上方に延びた後、概ね水平方向に延びる横方向通路３０７ｂと、横方向通路３０７ｂの下流側に配置された吸引装置としての吸引ファン７ｃと、により構成されている。また、上下方向通路３０７ａ及び横方向通路７ｂによりボウル３０２ａから回収装置の回収袋までガスを回収するための回収通路の一部である第３の回収通路が構成されている。この第３の回収通路の内部には、クリーニングガス供給装置４８及びダクトクリーナー５６が設けられている。
【０１６３】
吸引ファン３０７ｃは、便器装置３０２のボウル３０２ａ内の気体を回収通路内に吸い込むものである。上下方向通路３０７ａは、内部へ小便等の飛沫が入り込まないように、吸引口が下方に向けられた状態でボウル３０２ａ内に開口している。メチルメルカプタン等の臭気性ガスや、水素ガスは分子量が小さいため、排便後すぐに上昇してしまう。これに対して、本実施形態では、ボウル３０２ａ内に開口した上下方向通路３０７ａの入口から吸引ファン３０７ｃによって吸引することにより、排出された臭気性ガス及び水素ガスを含む排便ガスを確実にガス検出装置３０９を介して回収装置３１０へ導入することができる。このようにしてガス吸引装置３０７により吸引されたボウル３０２ａ内の気体は、接続配管３７５に送りこまれる。
【０１６４】
接続配管３７５は便器装置３０２から回収装置３１０へ通じる第２の回収通路を構成する。ガス検出装置３０９は、回収通路内に配置された水素ガスセンサ１４と、臭気性ガスセンサ１６と、二酸化炭素センサ１８と、温度センサ２０と、湿度センサ２２と、センサ加温ヒータ４６と、を備える。なお、水素ガスセンサ１４と、臭気性ガスセンサ１６と、二酸化炭素センサ１８と、温度センサ２０と、湿度センサ２２と、センサ加温ヒータ４６の構成については第１実施形態と同様であるため、詳細な説明を省略する。なお、本実施形態では、ガス検出装置３０９を第２の回収通路内に設けた場合について説明したが、これに限らず、ガス吸引装置３０７内の第３の回収通路内に水素ガスセンサ１４と、臭気性ガスセンサ１６と、二酸化炭素センサ１８と、温度センサ２０と、湿度センサ２２と、センサ加温ヒータ４６とを配置し、ガス検出装置３０９を第３の回収通路内に設ける構成としてもよい。
【０１６５】
図２１は、図１８に示す排便ガス回収システムの回収装置３１０の内部の構成を示す図である。図２１に示すように、回収装置３１０は、搬送ケース３８６と、第１の回収通路を構成する配管群８０と、制御弁としての回収袋開閉弁５２ａ、５２ｂ、５２ｃ及び流路開閉弁５４と、回収袋８２ａ、８２ｂ、８２ｃと、脱臭ユニット８４と、搬送ケース３８６の上部に固定された制御ユニット３８７を備える。
【０１６６】
搬送ケース３８６は、例えば、樹脂や金属等の筐体からなり、底部の下面に車輪３８６Ａが設けられ、天井部の上面に取手３８６Ｂが設けられている。搬送ケース３８６は、配管群８０から接続配管３７５を取り外した状態で、取手３８６Ｂを掴んで持ち上げて移動することができ、また、側方から押すことにより車輪３８６Ａにより移動することができる。なお、取手８６Ｂ及び車輪８６Ａは一方を省略してもよい。
【０１６７】
本実施形態において、配管群８０の最上流側の直管８０ａの上流側端部には、便器装置３０２から延びる接続配管３７５が接続されている。本実施形態では、配管群８０を構成する直管８０ａ、分岐管８０ｂ、軟質配管ユニット８０ｃは固定用バンド３８９により支持されている。図２２（ａ）は、図２１に示す回収装置３１０の配管群８０及び回収袋８２を取り外した状態を示し、同図（ｂ）は回収装置３１０の配管群８０及び回収袋８２の分解図である。また、図２３は、図２１に示す回収装置３１０において取り外し可能な配管群８０及び回収袋８２を一点鎖線で示す図である。図２２及び図２３に示すように、本実施形態においても、配管群８０を構成する直管８０ａ、複数のＴ字型の分岐管８０ｂ、及び複数の軟質配管ユニット８０ｃは、パイプバンド等の簡易に取り外し可能な接続器具を用いて連結されている。なお、回収袋開閉弁５２ａ、５２ｂ、５２ｃ、流路開閉弁５４、及び脱臭ユニット８４は、搬送ケース３８６に固定されている。この様な構成により、必要に応じて、搬送ケース３８６から脱臭ユニット８４、回収袋開閉弁５２ａ、５２ｂ、５２ｃ及び流路開閉弁５４を取り外すことなく、搬送ケース３８６から直管８０ａ、分岐管８０ｂ、軟質配管ユニット８０ｃ、及び回収袋８２を取り外し、新たな、直管８０ａ、分岐管８０ｂ、軟質配管ユニット８０ｃ、及び回収袋８２を取り付けることができる。また、直管８０ａ、分岐管８０ｂ、及び軟質配管ユニット８０ｃは、任意の一つのみを取り外して交換することもできる。
【０１６８】
なお、その他の配管群８０、回収袋開閉弁５２ａ、５２ｂ、５２ｃ、流路開閉弁５４、回収袋８２ａ、８２ｂ、８２ｃ、及び脱臭ユニット８４の構成は第１実施形態と同様であるため、詳細な説明は省略する。
【０１６９】
制御ユニット３８７には、ＣＰＵ３６０ａと記憶装置３６０ｂを有する回収ユニット制御装置３６０と、時刻取得装置７２（図１９）と、個人認証装置６２（図１９）が収容されている。
【０１７０】
図１９に示すように、回収ユニット制御装置３６０には、ガス検出装置３０９の水素ガスセンサ１４、臭気性ガスセンサ１６、二酸化炭素センサ１８、温度センサ２０、湿度センサ２２、及びセンサ加温ヒータ４６と、時刻取得装置７２と、個人認証装置６２と、通路加温ヒータ５１と、回収袋開閉弁５２と、流路開閉弁５４とが接続されている。
【０１７１】
便器装置３０２のガス吸引装置３０７により吸引されたボウル３０２ａ内の空気は、ガス吸引装置３０７内の第３の回収通路を通り、便器装置３０２の側面の排出口から接続配管３７５に送りこまれる。接続配管３７５に送りこまれた気体は第２の回収通路を介して、ガス検出装置３０９を通り、回収装置３１０の第１の回収通路を構成する配管群８０に送りこまれる。そして、流路開閉弁５４が開放状態であり、かつ、回収袋開閉弁５２ａ、５２ｂ、５２ｃが閉鎖状態である場合には、配管群８０に送りこまれた気体は脱臭ユニット８４により脱臭され、トイレ空間Ｒ内に放出される。また、流路開閉弁５４が閉鎖状態であり、かつ、回収袋開閉弁５２ａ、５２ｂ、５２ｃの何れかが開放状態である場合には、ガス吸引装置７により吸引された気体は開放された回収袋開閉弁５２ａ、５２ｂ、５２ｃに対応する回収袋８２へ回収される。
【０１７２】
図２４は、第３実施形態の排便ガス回収システムにおける排便ガス回収時以外における便器装置３０２を示す図である。図２４に示すように、排便ガス回収時以外では、便器装置３０２から接続配管３７５が取り外されている。そして、便器装置３０２のガス吸引装置３０７の排出口には、脱臭ユニット３９１が取り付けられる。脱臭ユニット３９１の内部には例えば脱臭触媒が内蔵されている。ガス吸引装置３０７によりボウル３０２ａから吸引されたガスは、脱臭ユニット３９１を通りこれにより脱臭処理が行われる。そして、脱臭ユニット３９１により脱臭処理された空気は、室内に放出される。
【０１７３】
本実施形態の排便ガス回収システム３０１においても、第１実施形態の流れで排便ガスを回収することができる。なお、排便ガス回収システム３０１を病室に配置した場合には、回収開始準備工程Ｓ２を開始するトリガーである、入室検知センサ２４による被験者の入室の検知が行われない場合がある。このような場合には、個人認証装置６２による被験者の特定等を回収開始準備工程Ｓ２を開始するトリガーとすればよい。
【０１７４】
なお、上記実施形態では、回収ユニット制御装置３６０と、便器側制御装置３１２とを通信可能とした場合について説明したが、本発明はこれに限られない。便器の洗浄等を自動的に行わない場合には、回収ユニット制御装置を便器側制御装置に対して独立して設けてもよい。
【０１７５】
なお、図１８を参照して説明した第３実施形態の排便ガス回収システム３０１は、便器装置３０２にガス吸引装置３０７が組み込まれた構成について説明したが、本発明の排便ガス回収システムにおいてガス吸引装置は、必ずしも便器装置の内部に組み込む必要はない。
【０１７６】
図２５（ａ）は、第４実施形態による排便ガス回収システムにおける便座側装置をトイレ空間に設置された水洗大便器に取り付けた状態を示す図であり、同図（ｂ）は、同図（ａ）に示す便座側装置を示す斜視図である。同図に示すように、第４実施形態による排便ガス回収システム４０１は、便座側装置４０６と、回収装置３１０と、便座側装置４０６と回収装置３１０とを結ぶ接続配管４７５とを備える。なお、第４実施形態の回収装置３１０の構成は第３実施形態と同様である。図２５（ａ）に示すように、本実施形態の排便ガス回収システム４０１では、便座側装置４０６が便座４０４とは別体に構成されており、接続配管４７５にはガス検出装置が設けられていない。
【０１７７】
図２５（ｂ）に示すように、便座側装置４０６は、装置本体４０８と、装置本体４０８の上面に横方向に延びるように取り付けられ、先端部が下方に向けて屈曲されたダクト４０７ａと、装置本体４０８に接続された電源コード４１０とを含む。図２５（ａ）に示すように、便座側装置４０６は、ダクト４０７ａの先端部を水洗大便器４０２のボウルの側壁に引っかけることにより、ダクト４０７ａの先端がボウル内に位置した状態で着脱可能に取り付けられている。また、装置本体４０８の側面には接続配管４７５の一端が接続されており、接続配管４７５の他端は、第３実施形態で説明した回収装置３１０の配管群８０に接続されている。
【０１７８】
装置本体４０８は、入室検知センサと、着座検知センサと、排便・排尿検知センサと、ガス吸引装置と、クリーニングガス供給装置と、ダクトクリーナーと、を備える。本実施形態では、これら入室検知センサ、着座検知センサ、排便・排尿検知センサ、ガス吸引装置、クリーニングガス供給装置、及びダクトクリーナーも回収ユニット制御装置に接続され、回収ユニット制御装置により制御される。
【０１７９】
また、ガス吸引装置の回収通路を構成するダクト４０７ａ内には、水素ガスセンサと、臭気性ガスセンサと、二酸化炭素センサと、湿度センサと、温度センサと、センサ加温ヒータと、吸引ファンとが設けられている。ガス吸引装置により吸引されたボウル内のガスは、接続配管４７５を介して回収装置１０に送られる。
このような構成により、本実施形態の排便ガス回収システムによっても、第３実施形態と同様に排便ガスを回収することができる。
【０１８０】
なお、本実施形態の便座側装置４０６とともに使用される便座４０４としては、便蓋開閉装置と、ノズル駆動装置と、ノズル洗浄装置と、便器洗浄装置と、便器除菌装置とを備え、便座側装置４０６と通信可能な洗浄機能付き便座を用いることが望ましい。このような便座とともに便座側装置４０６を用いることにより、異臭ガスを検知した場合の各種洗浄、除菌作業を行うことが可能になる。
【０１８１】
以上説明したように、上記各実施形態では、排便時に排泄される排便ガスを回収袋８２に回収している。そして、このように回収袋８２に回収された排便ガスを成分分析することにより癌の診断を行うことができる。このように、上記各実施形態によれば、被験者は通常通りに排便行為を行うのみで癌の診断を行うことができ、内視鏡などに比べて被験者に対する肉体的負担が非常に少ない。
また、上記各実施形態によれば、ガスを回収するのみであり、便を採取するものではない。このため、大便を他人に見られるなどの被験者の心理的負担を抑えることができる。
【０１８２】
また、上記各実施形態によれば、ガス吸引装置７、３０７により大便器のボウルから気体を吸引する構成としている。メチルメルカプタン等の臭気性ガスは空気に比べて軽い。このため、排便ガスは排泄された直後から上昇してしまう。これに対して、本発明によれば、排泄された排便ガスがガス吸引装置７、３０７により吸引されるため、確実に排便ガスを捕集することができる。
【０１８３】
また、上記各実施形態によれば、制御装置は、ガス検出装置９、３０９の出力に基づき、吸引された気体に排便ガスが含まれていると判定すると、回収袋開閉弁５２及び流路開閉弁５４を吸引装置７、３０７により吸引された気体を回収袋８２に供給する状態に切り替る構成としている。このため、大腸末端に溜まっており、排便行為の初期に排泄される排便ガスを確実に回収することができるとともに、大便が排泄される前に放出された排便ガスも確実に捕集することができる。このように、上記の各実施形態によれば、排便行為の初期に排泄される排便ガスを確実に回収することができるため、腸内環境をよく反映した初期の排便ガスを回収することができるため、高い診断精度を確保できる。
【０１８４】
さらに、上記各実施形態によれば、便器側制御装置１２、３１２は、臭気性ガスセンサ１６により排便ガスが含まれることを検知する以前から、吸引を実施するようにガス吸引装置７を制御している。このため、被験者が排泄した排便ガスは、ボウルから外部に逃げることなく、ガス吸引装置７により確実に吸引され、排便ガスを確実に回収することができる。
【０１８５】
また、被験者は通常一回の排便行為中に複数回排便ガスを排出するが、腸内末端に滞留する排便ガスを確実に回収するために、一回の排便行為中に排泄される排便ガスを全て回収することも考えられる。しかしながら、この場合には回収袋８２が非常に大きくなってしまうだけでなく、腸内環境が十分に反映されていない大腸の上流側に滞留していたガスまでも回収してしまうため、診断精度が低下してしまう。これに対して、上記各実施形態によれば、被験者の一回の排便行為中に排泄される排便ガスのうち、少なくとも大腸末端に溜まったガスを含む初期部分を回収するように回収制御を実施しているため、回収したガスには、大腸全体の腸内環境を反映した大腸末端に溜まった排便ガスが含まれる。さらに、上記各実施形態によれば、排便ガスの初期部分の回収後は、被験者の一回の排便行為中に排出される排便ガスの回収を禁止する回収禁止制御を実施するため、大腸の下流側の部位の腸内環境が十分に反映されていない大腸の上流側に滞留していたガスが回収されるのを防止することができ、診断精度を向上することができる。
【０１８６】
被験者が着座する前に排便ガスの回収を開始しようとしても、被験者はトイレ空間への入室後または大便器への接近後、着座する前に歩行動作や、振り向き動作や、脱衣動作や、着座動作を行い、この際、被験者に付着していた臭気性ガス成分がトイレ空間内、特に大便器近傍に広がるため、排便ガスとともに混合されて回収されてしまい、分析の際のノイズとなってしまう。これに対して、上記各実施形態によれば、着座検知センサ２６により被験者が大便器に着座したのを検知した後に、被験者から排出された排便ガスを回収するように回収制御を行うため、被験者の動きの少ない着座後の安定した環境において、排便ガスの回収を行うことができ、被験者に付着した異臭ガス成分が回収されることを抑制できる。
【０１８７】
また、上記各実施形態によれ、回収制御を所定時間のみ行う構成としているため、腸内末端に溜まっていた排便ガスが確実に回収されるとともに、腸内環境が十分に反映されていない大腸の上流側に滞留していたガスを回収することを抑制し、これにより分析精度を向上することができる。また、回収制御を行う時間を一定にすることにより、毎回のガス回収が同条件で行われるため、継時的な診断を精度良く行うことができる。
【０１８８】
上述の通り、被験者のトイレ空間への進入後、又は、大便器への接近後、被験者の動作等により被験者に付着していた臭気性ガス成分がトイレ空間内、特に大便器近傍に拡がる。そして、着座後この被験者に付着していた臭気性ガス成分の影響は安定する。これに対して、上記各実施形態によれば、入室検知センサ２４等の被験者位置確認手段により被験者の入室が検知されると、便器側制御装置１２が、着座検知センサ２６により被験者が大便器に着座するのを検知する前の排便準備期間中にガス吸引装置７のファンの回転数が一定になるように制御するため、臭気性ガス成分の影響が不安定な状態においてガス吸引装置７の回収のための準備を行い、着座後の安定した状態ではガス吸引装置７の風量を一定条件とすることができ、回収精度を向上することができる。
【０１８９】
上記各実施形態によれば、ガス吸引装置７と同様に、臭気性ガス成分の影響が不安定な状態においてガスセンサ１４、１６、１８の回収のための準備を行うため、着座後の安定した状態ではガスセンサの温度を一定条件とすることができ、安定した状態で回収を実施することができる。
【０１９０】
また、上記各実施形態によれば、制御装置は、ガスセンサ１４、１６、１８により吸引された気体に排便ガスが含まれることが検知されてから、予め決定された所定時間が経過した時点で、回収袋開閉弁５２及び流路開閉弁５４を気体を回収袋８２に供給する状態に切り替える。ガスセンサ１４、１６、１８から回収袋開閉弁５２までの距離は変化することはないため、上記の通り、ガス吸引装置７のファン７ｃを一定の回転数で回転させることにより、ガスセンサ１４、１６、１８に検知された排便ガスが回収袋開閉弁５２に到達するまでの時間を一定にできる。このため、毎回、排便ガス中の同一条件の（腸内の略同一の位置に溜まった）部分を回収することができる。特に、ガスセンサ１４、１６、１８による排便ガスの検知から制御弁の切り替えまでの時間を設定することにより、大腸末端に溜まったガスを含む排便ガスの初期部分をより確実に排便ガスを回収することができる。
【０１９１】
上述の通り、ガス吸引装置７のファン７ｃを一定の回転数で回転させることにより、ガスセンサ１４、１６、１８に検知された排便ガスが回収袋開閉弁５２に到達するまでの時間が一定になる。このため、上記各実施形態によれば、腸内環境を精度良く表す腸末端に溜まったガスを含む排便ガスの初期部分を確実に回収することができる。また、回収袋８２に回収された気体には、被験者に付着した異臭ガス成分や、トイレ空間内の付着便等による異臭ガス成分が含まれることになるが、毎回一定量となるため、診断への影響を抑えることができる。
【０１９２】
また、上記各実施形態において、便器側制御装置１２は、排便準備期間中のガスセンサ１４、１６、１８の出力に基づき基準値を設定し、ガスセンサ１４、１６、１８の出力と基準値とを比較することにより回収制御を実施する。被験者に付着した臭気性ガスの量は、運動による汗の量やシャンプーの変更等により、一定ではない。また、トイレ空間内の付着便等の臭気性ガスの量も変化する。これに対して、上記各実施形態によれば、毎回、排便準備期間中のガスセンサ１４、１６、１８の出力に基づき基準値を設定するため、確実に排便ガスを回収することができる。
【０１９３】
上記各実施形態のシステムによる排便ガスの回収の対象となるような大腸癌等の病気が軽度の人又は未病の人は、寝たきりの患者と異なり、日常生活で汗をかいたり、下着に便等が付着したり、洗剤や香水等を使用したりするため、被験者に多量に臭気性ガスが付着するおそれがある。このように大量に臭気性ガスが被験者に付着してしまうと、排便ガスを回収しても誤診となるおそれがある。これに対して、上記各実施形態によれば、ガスセンサ１４、１６、１８による出力に基づき、排便ガスを回収するのに適していない状況であると判断した場合に、排便ガス回収制御を行わないため、無駄な回収制御を行うことを防止できる。さらに、このような場合には、非排便ガス回収制御も不要となるが、本発明によれば、非排便ガス回収制御も行わず、無駄な非排便ガスの回収を省略することができる。
【符号の説明】
【０１９４】
１  排便ガス回収システム
２  水洗大便器
２ａ  ボウル
４  おしり洗浄機能付き便座
６  便座側装置
７  ガス吸引装置
７ａ  上下方向通路
７ｂ  横方向通路
７ｃ  吸引ファン
８  リモコン
９  ガス検出装置
１０  回収装置
１２  便器側制御装置
１２ａ  ＣＰＵ
１２ｂ  記憶装置
１４  水素ガスセンサ
１６  臭気性ガスセンサ
１８  二酸化炭素センサ
２０  温度センサ
２２  湿度センサ
２４  入室検知センサ
２６  着座検知センサ
２８  排便・排尿検知センサ
３０  便蓋開閉装置
３２  ノズル駆動装置
３４  ノズル洗浄装置
３６  便器洗浄装置
３８  便器除菌装置
４６  センサ加温ヒータ
４８  クリーニングガス供給装置
５２  回収袋開閉弁
５４  流路開閉弁
５６  ダクトクリーナー
５８  送受信機
６０  リモコン側制御装置
６０ａ  ＣＰＵ
６０ｂ  記憶装置
６２  個人認証装置
６４  入力装置
６６  送受信機
６８  表示装置
７０  スピーカー
７２  時刻取得装置
７３  送受信機
７４  フィルタ
７５  接続配管
８０  配管群
８０ａ  直管
８０ｂ  分岐管
８０ｃ  軟質配管ユニット
８０ｃａ  筒状部材
８０ｃｂ  直管
８２、８２ａ、８２ｂ、８２ｃ  回収袋
８２Ａ  回収袋本体
８２Ｂ  回収口
８２Ｃ  コック付ノズル
８３Ａ、８３Ｂ、８３Ｃ  直管
８４  脱臭ユニット
８５  パイプバンド
８６  フレーム
８６ａ  吊り部材
８８  モータユニット
９０  開閉器
９２Ａ  第１の開閉部材
９２Ｂ  第２の開閉部材
９４  ねじりばね
９６Ａ、９６Ｂ  台座部
９８Ａ、９８Ｂ  面ファスナ
１００Ｂ、１００Ａ  面ファスナ
１０２  モータ
１０２Ａ  シャフト
１０４  押圧部材
１０６  密閉クリップ
２０１  排便ガス回収システム
２０４  便座
２０６  便座側装置
２０７ａ  ダクト
２０８  装置本体
２１０  電源コード
２１２  接続配管
３０１  排便ガス回収システム
３０２  便器装置
３０２ａ  ボウル
３０４  回収装置
３０７  ガス吸引装置
３０７ａ  上下方向通路
３０７ｂ  横方向通路
３０７ｃ  吸引ファン
３０９  ガス検出装置
３７５  接続配管
３８６  搬送ケース
３８６Ａ  車輪
３８６Ｂ  取手
３８７  制御ユニット
３８９  固定用バンド
３９１  脱臭ユニット
４０１  排便ガス回収システム
４０２  水洗大便器
４０６  便座側装置
４０７ａ  ダクト
４０８  装置本体
４１０  電源コード
４７５  接続配管
【図１】
2017067752.tif 000003
【図２】
2017067752.tif 000004
【図３】
2017067752.tif 000005
【図４】
2017067752.tif 000006
【図５】
2017067752.tif 000007
【図６】
2017067752.tif 000008
【図７】
2017067752.tif 000009
【図８】
2017067752.tif 000010
【図９】
2017067752.tif 000011
【図１０】
2017067752.tif 000012
【図１１】
2017067752.tif 000013
【図１２】
2017067752.tif 000014
【図１３】
2017067752.tif 000015
【図１４】
2017067752.tif 000016
【図１６】
2017067752.tif 000017
【図１７】
2017067752.tif 000018
【図１８】
2017067752.tif 000019
【図１９】
2017067752.tif 000020
【図２０】
2017067752.tif 000021
【図２１】
2017067752.tif 000022
【図２２】
2017067752.tif 000023
【図２３】
2017067752.tif 000024
【図２４】
2017067752.tif 000025
【図２５】
2017067752.tif 000026
【図２６】
2017067752.tif 000027
【図１５】
2017067752.tif 000028